(57)【要約】  本開示の方法は、第１の通信装置において、ＯＦＤＭ通信チャネルのバンド幅全体および／または１つまたは複数のサブバンドに対応するチャネル状態情報および１つまたは複数の品質インジケータを取得し、第２の通信装置のそれぞれのための１つまたは複数の候補サブバンドを識別し、バンド幅全体および／または１つまたは複数の候補サブバンドのそれぞれのための送信ビームフォーミングマトリクスを展開し、品質インジケータに基づいて、アップリンクマルチユーザ通信のための第２の通信装置のグループであって、複数の第２の通信装置の２つ以上の通信装置を含むグループを選択し、それぞれのフィードバック情報を複数の第２の通信装置に送信するとともにそれぞれのトリガ情報を第２の通信装置のグループに送信し、第２の通信装置のグループからの同時送信を受信すること、を含む。【選択図】図８
2018525900.tif 000002
【特許請求の範囲】
【請求項１】
第１の通信装置において、複数の第２の通信装置のそれぞれについて前記第２の通信装置と関連したＯＦＤＭ通信チャネルの、バンド幅全体および／または１つまたは複数のサブバンドに対応する、チャネル状態情報および１つまたは複数の品質インジケータを取得し、
前記第１の通信装置において、前記第２の通信装置のそれぞれについて取得される前記品質インジケータに基づいて、前記第２の通信装置のそれぞれについて１つまたは複数の候補サブバンドを識別し、
前記第１の通信装置において、前記第２の通信装置のそれぞれについて取得される前記チャネル状態情報および前記品質インジケータに基づいて、前記第２の通信装置のそれぞれに対するバンド幅全体および／または１つまたは複数の候補サブバンドのそれぞれについて、送信ビームフォーミングマトリクスを展開し、
前記第１の通信装置において、前記第２の通信装置の少なくともいくつかのそれぞれについて取得される前記品質インジケータに基づいて、アップリンクマルチユーザ通信のための第２の通信装置のグループを選択し、前記グループは２つ以上の前記第２の通信装置を含んでおり、それぞれのフィードバック情報を前記複数の第２の通信装置に送信し、かつ、それぞれのトリガ情報を前記第２の通信装置の前記グループに送信し、
前記第１の通信装置において、前記トリガ情報に応答する前記第２の通信装置の前記グループからの同時送信を受信する、
ことを含む方法。
【請求項２】
前記第１の通信装置はアクセスポイントであり、前記複数の第２の通信装置は、前記アクセスポイントと関連したステーションである、
請求項１に記載の方法。
【請求項３】
前記第１の通信装置において、前記複数の第２の通信装置のそれぞれについて、前記第２の通信装置と関連したＯＦＤＭ通信チャネルの、バンド幅全体および／または１つまたは複数のサブバンドに対応する、チャネル状態情報および１つまたは複数の品質インジケータを取得することが、
１つまたは複数のサウンディングアナウンスメントフレームを前記複数の第２の通信装置に送信すること、
前記複数の第２の通信装置のそれぞれからサウンディングフレームを受信すること、および、
前記第２の通信装置から受信される前記サウンディングフレームに基づいて前記第２の通信装置のそれぞれに対する前記チャネル状態情報および１つまたは複数の前記品質インジケータを取得すること、を含む、
請求項１に記載の方法。
【請求項４】
前記第１の通信装置において、前記第２の通信装置のそれぞれについて取得される前記チャネル状態情報および前記品質インジケータに基づいて、前記第２の通信装置のそれぞれに対するバンド幅全体および／または１つまたは複数の候補サブバンドのそれぞれについて、送信ビームフォーミングマトリクスを展開することが、
前記第２の通信装置のそれぞれについて取得される前記品質インジケータに基づいて、前記第２の通信装置のそれぞれに対するバンド幅全体および／または１つまたは複数の候補サブバンドのそれぞれのための送信方式の意図された使用を識別すること、
前記第２の通信装置それぞれについて取得される前記チャネル状態情報および品質インジケータに基づいて、前記第２の通信装置のそれぞれのためのそれぞれの意図された送信方式の使用に応じて前記バンド幅全体および／または１つまたは複数の前記候補サブバンドのそれぞれのための前記送信ビームフォーミングマトリクスを展開すること、を含む、
請求項１に記載の方法。
【請求項５】
候補サブバンドまたは前記バンド幅全体がＵＬ  ＳＵ−ＭＩＭＯ送信のためだけに使われる予定である場合、ＳＵ−ＭＩＭＯ送信に特有の前記送信ビームフォーミングマトリクスが前記候補サブバンドまたは前記バンド幅全体に対して展開される、
請求項４に記載の方法。
【請求項６】
候補サブバンドまたは前記バンド幅全体がＵＬ  ＭＵ−ＭＩＭＯ送信のためだけに使われる予定である場合、ＭＵ−ＭＩＭＯ送信に特有の前記送信ビームフォーミングマトリクスが前記候補サブバンドまたは前記バンド幅全体に対して展開される、
請求項４に記載の方法。
【請求項７】
候補サブバンドまたは前記バンド幅全体がＵＬ  ＳＵ−ＭＩＭＯまたはＭＵ−ＭＩＭＯ送信のために使われる予定である場合、ＳＵ−ＭＩＭＯ送信に特有の前記送信ビームフォーミングマトリクスおよびＭＵ−ＭＩＭＯ送信に特有の前記送信ビームフォーミングマトリクスの両方が前記候補サブバンドまたは前記バンド幅全体に対して展開される、
請求項４に記載の方法。
【請求項８】
前記第２の通信装置のための前記フィードバック情報は、（ｉ）前記第２の通信装置のための１つまたは複数の候補サブバンドの表示、（ｉｉ）前記第２の通信装置のための１つまたは複数の前記候補サブバンドのそれぞれに対応する送信方式の意図された使用、（ｉｉｉ）前記第２の通信装置のための１つまたは複数の前記候補サブバンドのそれぞれに対応する１つまたは複数の品質インジケータ、（ｉｖ）前記第２の通信装置のための１つまたは複数の前記候補サブバンドのそれぞれに対応するビームフォーミングフィードバック、（ｖ）前記第２の通信装置のための前記バンド幅全体に対応する送信方式の意図された使用、（ｖｉ）前記第２の通信装置のための前記バンド幅全体に対応する１つまたは複数の品質インジケータ、（ｖｉｉ）前記第２の通信装置のための前記バンド幅全体に対応するビームフォーミングフィードバック、および（ｖｉｉｉ）前記第２の通信装置のための電力制御情報のうち、１つまたは複数を含む、
請求項１に記載の方法。
【請求項９】
前記グループに含まれる第２の通信装置のそれぞれためのトリガ情報は、指定されたアップリンク送信方式および割当送信資源に関する情報を含む、
請求項１に記載の方法。
【請求項１０】
前記第２の通信装置のそれぞれための前記フィードバック情報が前記第２の通信装置宛てに送られるフィードバックフレームに含まれ、前記グループに含まれる第２の通信装置のそれぞれのための前記トリガ情報が前記第２の通信装置宛てに送られる前記フィードバックフレームに含まれる、
請求項１に記載の方法。
【請求項１１】
前記フィードバックフレームが、前記第１の通信装置によって前記複数の第２の通信装置に同時に送信される、
請求項１０に記載の方法。
【請求項１２】
前記第２の通信装置のそれぞれのための前記フィードバック情報が前記第２の通信装置宛てに送られるフィードバックフレームに含まれ、前記第２の通信装置のグループのための前記トリガ情報がトリガフレームに含まれる、
請求項１に記載の方法。
【請求項１３】
前記フィードバックフレームが、前記第２の通信装置のグループへの前記トリガフレームの送信の前に、前記第１の通信装置によって前記複数の前記第２の通信装置に同時に送信される、
請求項１２に記載の方法。
【請求項１４】
前記第２の通信装置のそれぞれのための前記フィードバック情報が前記第２の通信装置宛てに送られるフィードバックフレームに含まれ、前記グループの第２の通信装置のそれぞれのための前記トリガ情報が前記第２の通信装置宛てに送られるトリガフレームに含まれる、
請求項１に記載の方法。
【請求項１５】
前記グループに含まれる第２の通信装置のそれぞれ宛てに送られる前記フィードバックフレームおよび前記トリガフレームの集合と、前記グループに含まれない複数の第２の通信装置のそれぞれ宛てに送られる前記フィードバックフレームとが、前記複数の第２の通信装置に同時に送信される、
請求項１４に記載の方法。
【請求項１６】
複数の第２の通信装置の中のいずれかの第２の通信装置で、サウンディングフレームを第１の通信装置に送信し、
前記第２の通信装置において、前記第１の通信装置からフィードバック情報およびトリガ情報を受信し、
前記第２の通信装置において、前記受信フィードバック情報およびトリガ情報に基づいてアップリンクマルチユーザ送信のための送信ビームフォーミングマトリクスを生成し、
前記第２の通信装置において、前記トリガ情報に応答して、前記第１の通信装置に、前記１つまたは複数の他の第２の通信装置と同時にデータを送信する、
ことを含む方法。
【請求項１７】
前記第１の通信装置がアクセスポイントであり、前記複数の第２の通信装置が前記アクセスポイントと関連したステーションである、
請求項１６に記載の方法。
【請求項１８】
前記複数の第２の通信装置のいずれかにおいて、サウンディングフレームを第１の通信装置に送信することが、
サウンディングアナウンスメントフレームを前記第１の通信装置からの受信すること、および、
前記受信したサウンディングアナウンスメントフレームに応答して、前記サウンディングフレームを前記第１の通信装置に送信すること、を含む、
請求項１６に記載の方法。
【請求項１９】
前記第２の通信装置のための前記フィードバック情報が、（ｉ）前記第２の通信装置のための１つまたは複数の候補サブバンドの表示、（ｉｉ）前記第２の通信装置のための１つまたは複数の前記候補サブバンドのそれぞれに対応する送信方式の意図された使用、（ｉｉｉ）前記第２の通信装置のための１つまたは複数の前記候補サブバンドのそれぞれに対応する１つまたは複数の品質インジケータ、（ｉｖ）前記第２の通信装置のための１つまたは複数の前記候補サブバンドのそれぞれに対応するビームフォーミングフィードバック、（ｖ）前記第２の通信装置のための前記バンド幅全体に対応する送信方式の意図された使用、（ｖｉ）前記第２の通信装置のための前記バンド幅全体に対応する１つまたは複数の品質インジケータ、（ｖｉｉ）前記第２の通信装置のための前記バンド幅全体に対応するビームフォーミングフィードバック、および（ｖｉｉｉ）前記第２の通信装置のための電力制御情報のうち、１つまたは複数を含む、
請求項１６に記載の方法。
【請求項２０】
前記第２の通信装置のためのトリガ情報が、指定された送信方式および割当送信資源に関する情報を含む、
請求項１６に記載の方法。
【請求項２１】
前記第２の通信装置で、前記受信フィードバック情報およびトリガ情報に基づいてアップリンクマルチユーザ送信のための前記送信ビームフォーミングマトリクスを生成することが、
受信トリガ情報に基づいて、前記指定された送信方式および前記割当送信資源を識別すること、および、
前記指定された送信方式および前記割当送信資源に基づいて、アップリンクマルチユーザ送信のための前記送信ビームフォーミングマトリクスを前記受信フィードバック情報の前記対応するデータから直接生成すること、を含む、
請求項１６に記載の方法。
【請求項２２】
前記受信トリガ情報が前記バンド幅全体上のＵＬ  ＭＵ−ＭＩＭＯ送信を示す場合、前記バンド幅全体上のＵＬ  ＭＵ−ＭＩＭＯ送信に特有の前記送信ビームフォーミングマトリクスが前記受信フィードバック情報の前記対応するデータから直接生成される、
請求項２１に記載の方法。
【請求項２３】
前記受信トリガ情報が前記割当サブバンド上のＵＬ  ＭＵ−ＭＩＭＯ送信を示す場合、前記割当サブバンド上のＵＬ  ＭＵ−ＭＩＭＯ送信に特有の前記送信ビームフォーミングマトリクスが前記受信フィードバック情報の前記対応するデータから直接生成される、
請求項２１に記載の方法。
【請求項２４】
前記受信トリガ情報が前記割当サブバンド上のＵＬ  ＳＵ−ＭＩＭＯ送信を示す場合、前記割当サブバンド上のＵＬ  ＳＵ−ＭＩＭＯ送信に特有の前記送信ビームフォーミングマトリクスが前記受信フィードバック情報の前記対応するデータから直接生成される、
請求項２１に記載の方法。
【請求項２５】
前記第２の通信装置ための前記フィードバック情報および前記トリガ情報が、前記第２の通信装置宛てに送られるフィードバックフレームに含まれる、
請求項１６に記載の方法。
【請求項２６】
前記第２の通信装置のための前記フィードバック情報が前記第２の通信装置宛てに送られるフィードバックフレームに含まれ、前記第２の通信装置のための前記トリガ情報が前記第２の通信装置宛てに送られるトリガフレームに含まれる、
請求項１６に記載の方法。
【請求項２７】
前記フィードバックフレームおよび前記トリガフレームが、前記第２の通信装置によって別々に受信される、
請求項２６に記載の方法。
【請求項２８】
前記フィードバックフレームおよび前記トリガフレームの集合が、前記第２の通信装置によって受信される、
請求項２６に記載の方法。
【発明の詳細な説明】
【技術分野】
【０００１】
本開示は、概して通信ネットワークに関し、より詳細には、ＯＦＤＭＡ（直交周波数分割多重アクセス）およびＭＵ−ＭＩＭＯ（マルチユーザ多重入力多重出力）に基づく無線ローカルエリアネットワークにおけるサウンディング方法に関する。
【背景技術】
【０００２】
ＩＥＥＥ（米国電気電子学会）８０２．１１ワーキンググループは、８０２．１１ａｘ  ＨＥ（高効率）ＷＬＡＮ（無線ローカルエリアネットワーク）エアーインタフェースを開発しており、それは従来の８０２．１１ａ／ｇ／ｎ／ａｃ標準との下位互換性を保つと共に、高密度シナリオのユーザによって成し遂げられる現実のスループットにおいて、非常に実質的な増加を成し遂げるためである。ＭＵ−ＭＩＭＯ（マルチユーザ多重入力多重出力）およびＯＦＤＭＡ（直交周波数分割多重アクセス）送信は、８０２．１１ａｘにおいて最も重要な２つの機能として構想されている。
【先行技術文献】
【特許文献】
【０００３】
【特許文献１】米国特許出願公開第２０１５／０１４６８１２号明細書
【特許文献２】米国特許出願公開第２０１５／０１４６８０７号明細書
【非特許文献】
【０００４】
【非特許文献１】IEEE 802.11-15/0132r7, Specification Framework for TGax, July 2015
【非特許文献２】IEEE 802.11-15/0579r3, 802.11ax Preamble Design and Auto-detection, July 2015
【非特許文献３】IEEE Std 802.11ac-2013
【非特許文献４】Transmit Beamforming and Detection Design for Uplink Multiuser MIMO System, Proceedings of Fortieth Asilomar Conference on Signals, Systems and Computers, 2006 (ACSSC '06), Page 1593-1600
【非特許文献５】IEEE Std 802.11n-2009
【発明の概要】
【発明が解決しようとする課題】
【０００５】
８０２．１１ａｘのＵＬ（アップリンク）ＭＵ（マルチユーザ）通信、例えば、ＵＬ  ＯＦＤＭＡ通信またはＵＬ  ＭＵ−ＭＩＭＯ通信において、効率的なサウンディングを実行するための研究が進められている。
【課題を解決するための手段】
【０００６】
本開示の方法は、第１の通信装置において、複数の第２の通信装置のそれぞれについて前記第２の通信装置と関連したＯＦＤＭ通信チャネルの、バンド幅全体および／または１つまたは複数のサブバンドに対応する、チャネル状態情報および１つまたは複数の品質インジケータを取得し、前記第１の通信装置において、前記第２の通信装置のそれぞれについて取得される前記品質インジケータに基づいて、前記第２の通信装置のそれぞれについて１つまたは複数の候補サブバンドを識別し、前記第１の通信装置において、前記第２の通信装置のそれぞれについて取得される前記チャネル状態情報および前記品質インジケータに基づいて、前記第２の通信装置のそれぞれに対するバンド幅全体および／または１つまたは複数の候補サブバンドのそれぞれについて、送信ビームフォーミングマトリクスを展開し、前記第１の通信装置において、前記第２の通信装置の少なくともいくつかのそれぞれについて取得される前記品質インジケータに基づいて、アップリンクマルチユーザ通信のための第２の通信装置のグループを選択し、前記グループは２つ以上の前記第２の通信装置を含んでおり、それぞれのフィードバック情報を前記複数の第２の通信装置に送信し、かつ、それぞれのトリガ情報を前記第２の通信装置の前記グループに送信し、前記第１の通信装置において、前記トリガ情報に応答する前記第２の通信装置の前記グループからの同時送信を受信する、ことを含む。
【０００７】
全般または特定の開示は、システム、方法、集積回路、コンピュータプログラム、記憶媒体またはそれらいかなる選択的な組み合わせとしても実施することができる点に留意すべきである。
【発明の効果】
【０００８】
本開示によって、ＵＬ  ＭＵ送信のための効率的なサウンディングを達成することができる。
【図面の簡単な説明】
【０００９】
【図１】例示ＷＬＡＮを示す図
【図２】従来技術による例示ＰＰＤＵを示す図
【図３】従来技術による、例示サウンディング手順および例示サウンディング手順に基づく例示ＵＬ  ＭＵ−ＭＩＭＯ送信を示す概略タイミング図
【図４】本開示の実施例１による、例示サウンディング手順および例示サウンディング手順に基づく例示ＵＬ  ＭＵ送信を示す概略タイミング図
【図５】本開示の実施例１による、例示フィードバックフレームを示す図
【図６】本開示の実施例２による、例示サウンディング手順および例示サウンディング手順に基づく例示ＵＬ  ＭＵ送信を示す概略タイミング図
【図７】本開示の実施例３による、例示サウンディング手順および例示サウンディング手順に基づく例示ＵＬ  ＭＵ送信を示す概略タイミング図
【図８】本開示の実施例４による、例示サウンディング手順および例示サウンディング手順に基づく例示ＵＬ  ＭＵ送信を示す概略タイミング図
【図９】本開示の実施例５による、例示サウンディング手順および例示サウンディング手順に基づく例示ＵＬ  ＭＵ送信を示す概略タイミング図
【図１０】本開示の実施例６による、例示サウンディング手順および例示サウンディング手順に基づく例示ＵＬ  ＭＵ送信を示す概略タイミング図
【図１１】本開示による、ＵＬ  ＭＵ送信のためのＳＴＡとのサウンディングを実行するために、ＡＰによって行われる第１の例示方法を示すフローチャート
【図１２】本開示による、ＵＬ  ＭＵ送信のためのＡＰとのサウンディングを実行するために、ＳＴＡによって行われる第１の例示方法を示すフローチャート
【図１３】本開示による、カスケードされたＤＬおよびＵＬ  ＭＵ送信のためのＳＴＡとのサウンディングを実行するために、ＡＰによって行われる第２の例示方法を示すフローチャート
【図１４】本開示による、カスケードされたＤＬおよびＵＬ  ＭＵ送信のためのＡＰとのサウンディングを実行するために、ＳＴＡによって行われる第２の例示方法を示すフローチャート
【図１５】本開示による、ＡＰの例示構成を示すブロック図
【図１６】本開示による、ＳＴＡの例示構成を示すブロック図
【発明を実施するための形態】
【００１０】
以下、添付の図面を参照して本開示の各種実施例について詳細に説明する。以下の説明では、知られている機能および構成の詳細な説明は、見やすく簡潔にするために省略した。
【００１１】
＜本開示の基本的な知識形成基礎＞
図１は、例示ＷＬＡＮ（無線ローカルエリアネットワーク）１００の図である。ＷＬＡＮ１００は、ＡＰ（アクセスポイント）１０２と、ＡＰ１０２に関連する複数のＳＴＡ（ステーション）１０４とを含む。ＷＬＡＮ１００のダウンリンク（ＤＬ）において、ＡＰ１０２は、ＤＬ  ＭＵ通信（すなわち、ＤＬ  ＭＵ−ＭＩＭＯまたはＤＬ  ＯＦＤＭＡ通信）を介してそれぞれのデータストリームを複数のＳＴＡ１０４に同時に送信するように構成することができる。同様に、ＷＬＡＮ１００のアップリンク（ＵＬ）において、複数のＳＴＡ１０４は、ＵＬ  ＭＵ通信（すなわち、ＵＬ  ＭＵ−ＭＩＭＯまたはＵＬ  ＯＦＤＭＡ通信）を介してそれぞれのデータストリームをＡＰ１０２に同時に送信することができる。
【００１２】
ＤＬまたはＵＬ  ＯＦＤＭＡ通信に関しては、データストリームは、複数の副搬送波を含むサブバンドのそれぞれにおいて、ＳＴＡのグループに対して、または、そのグループから、同時に送信される。データストリームは、ＳＵ−ＭＩＭＯ（単一ユーザＭＩＭＯ）技術を用いた特定のサブバンド上の単一のＳＴＡに対して、または、単一のＳＴＡによって、送信される。あるいは、データストリームは、ＭＵ−ＭＩＭＯ技術を用いて特定のサブバンド上の複数のＳＴＡに対して、または、複数のＳＴＡによって、同時に送信される。
【００１３】
ＤＬまたはＵＬ  ＭＵ−ＭＩＭＯ通信に関しては、データストリームは、ＭＵ−ＭＩＭＯ技術を使用してバンド幅全体上のＳＴＡのグループに対して、または、そのグループによって、同時に送信される。
【００１４】
ＳＵ−ＭＩＭＯ技術において、送信ビームフォーミングマトリクスが、特定のＳＴＡのためのデータをプリコードするために用いられる。それによって、リンクスループットが、特定のＳＴＡの受信機出力で最大化されるようにすることができる。ＭＵ−ＭＩＭＯ技術において、それぞれの送信ビームフォーミングマトリクスは、ＳＴＡのグループの各ＳＴＡのためのそれぞれのデータストリームをプリコードするために用いられる。それによって、トータルスループット（例えば、合計性能またはｍａｘ−ｍｉｎ公平性）が最大化される。特定のＳＴＡに対して、ＭＵ−ＭＩＭＯ送信のために使用する送信ビームフォーミングマトリクスは、通常、ＳＵ−ＭＩＭＯ送信のためのそれらの相対物と異なる。それは、前者が、ＭＵ−ＭＩＭＯ送信において存在するマルチユーザの干渉を考慮に入れる必要があるためである。要約すると、いかなるＤＬまたはＵＬ  ＭＵ送信の前にも、ＡＰ１０２は、サウンディング手順を介してＳＴＡ１０４と対話して必要な準備、例えばユーザグループ化、サブバンド割当ておよび送信ビームフォーミングマトリクスの展開などを行う必要がある。
【００１５】
図２は、従来技術［非特許文献１および非特許文献２を参照］による例示物理層プロトコルデータユニット（ＰＰＤＵ）２００の図である。ＰＰＤＵ２００は、８０ＭＨｚのバンド幅における４つのＯＦＤＭデータ単位２０２−１、２０２−２、２０２−３および２０２−４を含む、ＯＦＤＭＡ  ＰＰＤＵである。ＤＬ  ＭＵ送信に関しては、ＰＰＤＵ２００は、図１のＡＰ１０２によって生成される。それによって、ＯＦＤＭデータユニット２０２−１が第１の１０ＭＨｚのサブバンド上でＳＴＡ１０４−１に送信され、ＯＦＤＭデータユニット２０２−２が第２の１０ＭＨｚのサブバンド上でＳＴＡ１０４−２に送信され、ＯＦＤＭデータユニット２０２−３が２０ＭＨｚのサブバンド上でＳＴＡ１０４−３に送信され、ＯＦＤＭデータユニット２０２−４が４０ＭＨｚのサブバンド上でＳＴＡ１０４−４および１０４−５に送信される。一方で、ＵＬ  ＭＵ送信に関しては、ＰＰＤＵ２００はＳＴＡ１０４によって集合的に生成される。それによって、ＯＦＤＭデータユニット２０２−１がＳＴＡ１０４−１によって第１の１０ＭＨｚのサブバンド上でＡＰ１０２に送信され、ＯＦＤＭデータユニット２０２−２がＳＴＡ１０４−２によって第２の１０ＭＨｚのサブバンド上でＡＰ１０２に送信され、ＯＦＤＭデータユニット２０２−３がＳＴＡ１０４−３によって２０ＭＨｚのサブバンド上でＡＰ１０２に送信され、ＯＦＤＭデータユニット２０２−４がＳＴＡ１０４−４および１０４−５によって４０ＭＨｚのサブバンド上でＡＰ１０２に送信される。
【００１６】
ＰＰＤＵがＭＵ−ＭＩＭＯ技術を使用してバンド幅全体上で、ＡＰ１０２によって送信されるか、または、ＡＰ１０２に対して送信される単一のＯＦＤＭデータユニットを含むだけである場合、ＰＰＤＵがＤＬまたはＵＬ  ＭＵ−ＭＩＭＯ  ＰＰＤＵになる点に留意する必要がある。ＰＰＤＵがＭＵ−ＭＩＭＯ以外の技術を使用してバンド幅全体上で、ＡＰ１０２によって送信されるか、または、ＡＰ１０２に対して送信される単一のＯＦＤＭデータユニットを含むだけである場合、ＰＰＤＵはＤＬまたはＵＬ  ＳＵ  ＰＰＤＵになる。
【００１７】
図２に例示説明したとおり、ＰＰＤＵ２００は、レガシーショートトレーニングフィールド（Ｌ−ＳＴＦ）２０４、レガシーロングトレーニングフィールド（Ｌ−ＬＴＦ）２０６、レガシー信号フィールド（Ｌ−ＳＩＧ）２０８、反復レガシー信号フィールド（ＲＬ−ＳＩＧ）２１０、第１の高効率信号フィールド（ＨＥ−ＳＩＧ−Ａ）２１２、第２の高効率信号フィールド（ＨＥ−ＳＩＧ−Ｂ）２１４、高効率ショートトレーニングフィールド（ＨＥ−ＳＴＦ）２１６、高効率ロングトレーニングフィールド（ＨＥ−ＬＴＦ）２１８および高効率データ部（ＨＥデータ）２２０を含む。Ｌ−ＳＴＦ２０４、Ｌ−ＬＴＦ２０６およびＬ−ＳＩＧ２０８は、レガシー８０２．１１ａ／ｇ／ｎ／ａｃ標準との下位互換性を容易にする。ＲＬ−ＳＩＧ２１０が、ＰＰＤＵ２００のフレームフォーマットの自動検出のために使われる。ＨＥ−ＳＩＧ−Ａ２１２およびＨＥ−ＳＩＧ−Ｂ２１４は、それぞれ、ＰＰＤＵ２００を解釈するために必要となる制御情報、例えば帯域幅を伝達する。具体的には、ＨＥ−ＳＩＧ−Ｂ２１４は、特にＤＬ  ＭＵ送信のための指定された受信ＳＴＡのための制御情報を含む。ＨＥ−ＳＩＧ−Ｂ２１４は、異なる制御信号を伝達する２つの部分、ＨＥ−ＳＩＧ−Ｂ１およびＨＥ−ＳＩＧ−Ｂ２に分割される。ＨＥ−ＳＩＧ−Ｂ２１４は、それがＵＬ  ＭＵ  ＰＰＤＵ、ＤＬ  ＳＵ  ＰＰＤＵまたはＵＬ  ＳＵ  ＰＰＤＵである場合、ＰＰＤＵ２００の中に存在しない。ＨＥ−ＳＴＦ２１６は、対応するＯＦＤＭデータ単位２０２のＨＥデータ部分２２０を受信するためのＡＧＣ（自動利得制御）をトレーニングするために用いる。ＨＥ−ＬＴＦ２１８は、複数のＨＥ−ＬＴＦシンボルを含み、対応するＯＦＤＭデータ単位２０２のＨＥデータ部分２２０を受信して、等化するためのＭＩＭＯチャネル推定を生成するために用いる。
【００１８】
Ｌ−ＳＴＦ２０４、Ｌ−ＬＴＦ２０６、Ｌ−ＳＩＧ２０８、ＲＬ−ＳＩＧ２１０、ＨＥ−ＳＩＧ−Ａ２１２およびＨＥ−ＳＩＧ−Ｂ２１４は、ＷＬＡＮ１００によってサポートされる最も小さいバンド幅（例えば、２０ＭＨｚ）を占める。ＰＰＤＵ２００がＷＬＡＮ１００で最も少ないバンド幅より大きいバンド幅を占める場合、Ｌ−ＳＴＦ２０４、Ｌ−ＬＴＦ２０６、Ｌ−ＳＩＧ２０８、ＲＬ−ＳＩＧ２１０およびＨＥ−ＳＩＧ−Ａ２１２は、ＰＰＤＵ２００のそれぞれ最も小さいバンド幅部分において（例えば、ＰＰＤＵ２００の各２０ＭＨｚの部分において）複製およびマッピングすることができる。ＨＥ−ＳＩＧ−Ｂ２１４のＨＥ−ＳＩＧ−Ｂ１およびＨＥ−ＳＩＧ−Ｂ２は、代わりに、ＰＰＤＵ２００の各最も小さいバンド幅部分において、複製およびマッピングすることができる。
【００１９】
他方で、ＨＥ−ＳＴＦ２１６、ＨＥ−ＬＴＦ２１８およびＨＥデータ部２２０は、対応するＯＦＤＭデータ単位２０２のバンド幅全体を占める。例えば、ＯＦＤＭデータ単位２０２−４は４０ＭＨｚを占め、そこにおいて、ＨＥ−ＳＴＦ２１６、ＨＥ−ＬＴＦ２１８およびＨＥデータ部２２０はＯＦＤＭデータ単位２０２−４のすべての４０ＭＨｚのバンド幅を占める。
【００２０】
図３は、従来技術［特許文献１を参照］による、サウンディング手順３００に基づいた例示サウンディング手順３００および例示ＵＬ  ＭＵ−ＭＩＭＯ送信を示す概略タイミング図である。サウンディング手順３００は、ＳＴＡによってＡＰ１０２に送信されるサウンディングフレームから直接、ＡＰ１０２がＳＴＡからＡＰ１０２までの通信チャネルに対応するチャネル推定を得る明示的なサウンディング手順である。
【００２１】
ＡＰ１０２は、時間間隔３２２−１の間に、サウンディングアナウンスメントフレーム３０２−１をＳＴＡ１０４−１に送信して、ＳＴＡ１０４−１にサウンディングフレームを送信することを要求する。ＳＴＡ１０４−１は、時間間隔３２４−１の間に、サウンディングアナウンスメントフレーム３０２−１を受信することに応答して、サウンディングフレーム３０４−１をＡＰ１０２に送信する。ＡＰ１０２は、サウンディングフレーム３０４−１に含まれるトレーニング信号に基づいて、ＳＴＡ１０４−１からＡＰ１０２への通信チャネルを特徴づけているチャネル推定を取得する。更にまた、ＡＰ１０２は、ＳＴＡ１０４−１からＡＰ１０２への通信チャネルを特徴づけているチャネル推定に基づいて、ＳＴＡ１０４−１のためのビームフォーミングフィードバック情報を生成する。ＡＰ１０２は、時間間隔３２６−１の間に、フィードバックフレーム３０６−１をＳＴＡ１０４−１のためのビームフォーミングフィードバック情報を含むＳＴＡ１０４−１に送信する。ＳＴＡ１０４−１は、受信したビームフォーミングフィードバックフレーム３０６−１を使用して、ＵＬ  ＭＵ−ＭＩＭＯ送信のためのその送信ビームフォーミングマトリクスを生成する。
【００２２】
ＡＰ１０２は、シーケンシャルに他のＳＴＡ（例えば、１０４−２および１０４−３）にサウンディングフレームを送信させることができ、他のＳＴＡのそれぞれからＡＰ１０２への通信チャネルを特徴づけているチャネル推定を取得することができ、他のＳＴＡのそれぞれにビームフォーミングフィードバックを送信することができる。例えば、ＡＰ１０２は、時間間隔３２２−２の間に、サウンディングアナウンスメントフレーム３０２−２をＳＴＡ１０４−２に送信する。ＳＴＡ１０４−２は、時間間隔３２４−２の間に、サウンディングアナウンスメントフレーム３０２−２を受信することに応答して、サウンディングフレーム３０４−２をＡＰ１０２に送信する。ＡＰ１０２は、サウンディングフレーム３０４−２に含まれるトレーニング信号に基づいて、ＳＴＡ１０４−２からＡＰ１０２への通信チャネルを特徴づけているチャネル推定を取得して、更にＳＴＡ１０４−２のためのビームフォーミングフィードバック情報を生成する。ＡＰ１０２は、時間間隔３２６−２の間に、ＳＴＡ１０４−２のためのビームフォーミングフィードバック情報を含むフィードバックフレーム３０６−２をＳＴＡ１０４−２に送信する。ＳＴＡ１０４−２は、受信したビームフォーミングフィードバックフレーム３０６−２を使用して、ＵＬ  ＭＵ−ＭＩＭＯ送信のためのその送信ビームフォーミングマトリクスを生成する。同じサウンディング手順は、次の時間間隔３２２−３、３２４−３および３２６−３に、ＡＰ１０２とＳＴＡ１０４−３の間で実行される。
【００２３】
ＡＰ１０２は、図３の時間間隔３２８の間に、ＳＴＡ１０４からの受信したサウンディングフレーム３０４（例えば、３０４−１、３０４−２および３０４−３）に基づいて、ＵＬ  ＭＵ−ＭＩＭＯ送信のためのＵＬグループに包含するためのＳＴＡのサブセット（例えば、この例ではＳＴＡ１０４−１および１０４−２）を選択する。ＡＰ１０２は、時間間隔３３２の間に、トリガフレーム３０８をＵＬ  ＭＵ−ＭＩＭＯ送信のためにＵＬグループの各ＳＴＡ（例えば、この例ではＳＴＡ１０４−１および１０４−２）に送信する。トリガフレーム３０８は、ＵＬグループのＳＴＡに特定の時間間隔に同時にデータストリームをＡＰ１０２に送信させる。ＵＬグループのＳＴＡ（すなわち、この例ではＳＴＡ１０４−１および１０４−２）は、時間間隔３３４の間に、それぞれのデータストリーム３１０をそれぞれの送信ビームフォーミングマトリクスを用いてＡＰ１０２に同時に送信する。
【００２４】
従来技術によれば、ＵＬ  ＭＵ−ＭＩＭＯ送信のために、特定のＳＴＡにより用いられる送信ビームフォーミングマトリクスは特定のＳＴＡのためのチャネル推定に基づいて取得され、特定のＳＴＡと同じＵＬグループに属する他のＳＴＡのチャネル推定を考慮しない。従って、送信ビームフォーミングマトリクスは、ＵＬ  ＭＵ−ＭＩＭＯ送信におけるマルチユーザの干渉を緩和するために役に立たない場合がある。その結果、高度な受信機がＡＰ１０２により用いられる場合であっても、それはＵＬ  ＭＵ−ＭＩＭＯ送信に対するマルチユーザの干渉を十分に抑制することが可能で無い場合があり、そして、このために、ＵＬ  ＭＵ−ＭＩＭＯ送信のためのトータルスループットが損なわれ得る。加えて、図３にて図示したような従来技術は、効率的にサブバンドベースのＵＬ  ＯＦＤＭＡ送信を扱うことができない。本開示は、前述の知識を考慮してなされる。
【００２５】
次に、本開示のサウンディング手順のための各種実施例および対応するＵＬ  ＭＵ送信は、更に詳細に説明される。
【００２６】
（実施例１）
図４は、本開示の実施例１による、例示サウンディング手順４００およびサウンディング手順４００に基づいた例示ＵＬ  ＭＵ送信を示す概略タイミング図である。サウンディング手順４００は、ＡＰ１０２が、ＳＴＡからＡＰ１０２への通信チャネルに対応するチャネル状態情報および／または品質インジケータを、ＳＴＡによってＡＰ１０２に送信されるサウンディングフレームから直接引き出す、明示的なサウンディング手順である。
【００２７】
ＡＰ１０２は、時間間隔４２２−１の間に、サウンディングアナウンスメントフレーム４０２−１をＳＴＡ１０４−１に送信して、サウンディング手順４００を開始し、ＳＴＡ１０４−１にサウンディングフレームを送信するように要求する。ＳＴＡ１０４−１は、時間間隔４２４−１の間に、サウンディングアナウンスメントフレーム４０２−１を受信することに応答して、サウンディングフレーム４０４−１をＡＰ１０２に送信する。サウンディングフレーム４０４−１は、適切なトレーニング信号をＰＨＹ（物理層）プリアンブル（例えば、ＨＥ−ＬＴＦフィールド）に含んで、ＡＰ１０２がＳＴＡ１０４−１からＡＰ１０２への通信チャネルのチャネル状態情報および／または品質インジケータを取得することを可能にする。サウンディングフレーム４０４−１は、ＳＴＡ１０４−１のためのＵＬ電力制御情報（例えば、送信電力、電源調整範囲および／または電力ヘッドルーム）をＰＨＹプリアンブル（例えば、ＨＥ−ＳＩＧ−Ａフィールド）に含むこともできる。サウンディングフレームは、ＰＨＹプリアンブルだけを含んでペイロードを省略するＮＤＰ（ヌルデータパケット）でもよい。ＡＰ１０２は、サウンディングフレーム４０４−１に含まれるトレーニング信号に基づいて、ＳＴＡ１０４−１からＡＰ１０２への通信チャネルのバンド幅全体に対応するチャネル状態情報（例えば、利得、位相、ＳＮＲ（信号対雑音比）など）を取得する。加えて、または、代わりに、ＡＰ１０２は、ＳＴＡ１０４−１からＡＰ１０２への通信チャネルの１つまたは複数のサブバンドに対応する品質インジケータ（例えば、ＳＮＲ、ＳＮＩＲ（信号対雑音プラス干渉比）、信号強度など）を決定する。ＡＰ１０２は、ＳＴＡ１０４−１からＡＰ１０２への通信チャネルの１つまたは複数のサブバンドに対応する品質インジケータに基づいて、ＵＬ送信のために使われるＳＴＡ１０４−１のための１つまたは複数の候補サブバンドを更に識別する。
【００２８】
ＡＰ１０２は、他のＳＴＡ（例えば、１０４−２および１０４−３）にシーケンシャルにサウンディングフレームを送信させることができる。ＡＰ１０２は、サウンディングフレームに含まれるトレーニング信号に基づいて、他のＳＴＡのそれぞれからＡＰ１０２への通信チャネルのバンド幅全体に対応するチャネル状態情報および／または他のＳＴＡのそれぞれからＡＰ１０２への通信チャネルの１つまたは複数のサブバンドに対応する品質インジケータを取得する。ＡＰ１０２は、他のＳＴＡのそれぞれからＡＰ１０２への通信チャネルの１つまたは複数のサブバンドに対応する品質インジケータに基づいて、ＡＰ１０２に対するそれぞれの他のＳＴＡのための１つまたは複数の候補サブバンドを決定する。例えば、ＡＰ１０２は、時間間隔４２２−２の間に、サウンディングアナウンスメントフレーム４０２−２をＳＴＡ１０４−２に送信する。ＳＴＡ１０４−２は、時間間隔４２４−２の間に、サウンディングアナウンスメントフレーム４０２−２を受信することに応答して、サウンディングフレーム４０４−２をＡＰ１０２に送信する。ＡＰ１０２は、ＳＴＡ１０４−２からＡＰ１０２への通信チャネルのバンド幅全体に対応するチャネル状態情報を取得する。加えて、または、代わりに、ＡＰ１０２は、ＳＴＡ１０４−２からＡＰ１０２への通信チャネルの１つまたは複数のサブバンドに対応する品質インジケータを決定する。ＡＰ１０２は、ＵＬ送信のために使われるＳＴＡ１０４−２のための１つまたは複数の候補サブバンドを更に識別する。同じサウンディング手順は、後続の時間間隔４２２−３および４２４−３にＡＰ１０２とＳＴＡ１０４−３の間で実行される。
【００２９】
本開示の実施例１によれば、ＡＰ１０２は、各ＳＴＡからＡＰ１０２への通信チャネルのバンド幅全体に対応するチャネル状態情報および／または各ＳＴＡからＡＰ１０２への通信チャネルの１つまたは複数の候補サブバンドに対応する品質インジケータに基づいて、バンド幅全体および／または各ＳＴＡのための１つまたは複数の候補サブバンドのそれぞれのための送信方式の意図された使用を識別する。例えば、ＡＰ１０２は、バンド幅全体か各ＳＴＡのための１つまたは複数の候補サブバンドのそれぞれがＵＬ  ＳＵ−ＭＩＭＯ送信か、ＵＬ  ＭＵ−ＭＩＭＯ送信か、その両方とものために使われなければならないかを決定する。
【００３０】
本開示の実施例１によれば、ＡＰ１０２は、単一のＳＴＡだけがバンド幅全体上で送信されるバッファリングされたデータを有すると予想する（例えば、単一のＳＴＡだけが、送信すべき大量のバッファリングされたデータを有することをＡＰ１０２に示した）場合には、バンド幅全体がＵＬ  ＳＵ−ＭＩＭＯ送信のためだけに使われなければならないと決定することができる。
【００３１】
本開示の実施例１によれば、ＡＰ１０２は、２つ以上のＳＴＡがバンド幅全体上で送信されるバッファリングされたデータを有すると予想する（例えば、２つ以上のＳＴＡが、送信すべき大量のバッファリングされたデータを有することをＡＰ１０２に示した）場合には、バンド幅全体がＵＬ  ＭＵ−ＭＩＭＯ送信のためだけに使われなければならないと決定することができる。
【００３２】
本開示の実施例１によれば、ＡＰ１０２は、バンド幅全体がどのようにしばらくの間使われるかについて分からない場合には、バンド幅全体がＵＬ  ＳＵ−ＭＩＭＯまたはＵＬ  ＭＵ−ＭＩＭＯ送信のために使われなければならないと決定することができる。
【００３３】
本開示の実施例１によれば、ＡＰ１０２は、候補サブバンドが単一のＳＴＡによって支配されている場合には、候補サブバンドがＵＬ  ＳＵ−ＭＩＭＯ送信のためだけに使われなければならないと決定することができる。
【００３４】
本開示の実施例１によれば、ＡＰ１０２は、候補サブバンドが２つ以上のＳＴＡによって共有されており、しかし、２つ以上のＳＴＡのうち１つだけが候補サブバンド上で送信されるバッファリングされたデータを有すると予想する（例えば、２つ以上のＳＴＡのうち１つだけが送信すべき大量のバッファリングされたデータを有することをＡＰ１０２に示した）場合には、候補サブバンドがＵＬ  ＳＵ−ＭＩＭＯ送信のためだけに使われなければならないと決定することができる。
【００３５】
本開示の実施例１によれば、ＡＰ１０２は、候補サブバンドが２つ以上のＳＴＡによって共有されており、２つ以上のＳＴＡが候補サブバンド上で送信されるバッファリングされたデータを有すると予想する（例えば、２つ以上のＳＴＡが送信すべき大量のバッファリングされたデータを有することをＡＰ１０２に示した）場合には、候補サブバンドがＵＬ  ＭＵ−ＭＩＭＯ送信のためだけに使われなければならないと決定することができる。
【００３６】
本開示の実施例１によれば、ＡＰ１０２は、候補サブバンドが２つ以上のＳＴＡによって共有されており、しかしながら、候補サブバンドがどのようにしばらくの間使われるかについて、ＡＰ１０２が分からない場合には、候補サブバンドがＵＬ  ＳＵ−ＭＩＭＯまたはＵＬ  ＭＵ−ＭＩＭＯ送信のために使われなければならないと決定することができる。
【００３７】
本開示の実施例１によれば、ＡＰ１０２は、バンド幅全体または、候補サブバンドが、ＳＴＡによってＵＬ  ＳＵ−ＭＩＭＯ送信のためだけに使われなければならないと決定する場合には、バンド幅全体または候補サブバンド上のＵＬ  ＳＵ−ＭＩＭＯ送信に特有のＳＴＡのための送信ビームフォーミングマトリクスを展開する。例えば、ＨｋがＳＴＡからｋ番目のトーン（副搬送波）に対するＡＰ１０２への通信チャネルのチャネルマトリクスを表すと仮定する。その場合、ｋ番目のトーンに対するＵＬ  ＳＵ−ＭＩＭＯ送信に特有の送信ビームフォーミングマトリクスＱｋは、Ｑｋ＝Ｖｋによって与えられることができ、ここでＶｋはチャネルマトリクスＨｋの特異値分解（ＳＶＤ）によって取得することができる。
【００３８】
本開示の実施例１によれば、ＡＰ１０２は、バンド幅全体または、候補サブバンドがＳＴＡのグループによってＵＬ  ＭＵ−ＭＩＭＯ送信のためだけに使われなければならないと決定する場合には、バンド幅全体または候補サブバンド上のＵＬ  ＭＵ−ＭＩＭＯ送信に特有のグループの各ＳＴＡのための送信ビームフォーミングマトリクスを展開する。例えば、Ｎ個のＳＴＡのグループがバンド幅全体または候補サブバンド上のＵＬ  ＭＵ−ＭＩＭＯ送信に従事し、そして、Ｈｋ，ｉはバンド幅全体またはグループのｉ番目のＳＴＡおよびｋ番目のトーンに対する候補サブバンド上のチャネルマトリクスを表すと仮定する。その場合、ｋ番目のトーンに対するＵＬ  ＭＵ−ＭＩＭＯ送信に特有の送信ビームフォーミングマトリクス｛Ｑｋ，ｉ，ｉ＝１，２．．，Ｎ｝を、以下の式（１）のような方法で選ぶことができる。
【００３９】
（Ｈｋ，ｉＱｋ，ｉ）Ｈ（Ｈｋ，ｊＱｋ，ｊ）＝０・・・（１）
【００４０】
ここで、ｉ≠ｊおよびｉ，ｊ＝１，２．．，Ｎ、である。その結果として、ＵＬ  ＭＵ−ＭＩＭＯ送信におけるマルチユーザの干渉が抑制されて、より単純なレシーバが、ＵＬ  ＭＵ−ＭＩＭＯ送信を受信するためにＡＰ１０２により使用可能である。式（１）を満たす送信ビームフォーミングマトリクス｛Ｑｋ，ｉ，ｉ＝１，２．．，Ｎ｝を決定する例示方法に関しては、［非特許文献４］を参照されたい。
【００４１】
本開示の実施例１によれば、ＡＰ１０２がバンド幅全体または、候補サブバンドが、ＳＴＡによるＵＬ  ＳＵ−ＭＩＭＯ送信またはＳＴＡのグループによるＵＬ  ＭＵ−ＭＩＭＯ送信のために使われなければならないと決定する場合、ＡＰ１０２は、ＵＬ  ＳＵ−ＭＩＭＯ送信に特有のＳＴＡのための送信ビームフォーミングマトリクス、およびバンド幅全体または候補サブバンド上のＵＬ  ＭＵ−ＭＩＭＯ送信に特有のグループの各ＳＴＡのための送信ビームフォーミングマトリクスの両方を展開する。
【００４２】
時間間隔４２６の間に、ＡＰ１０２は、フィードバックフレーム４０６−１をＳＴＡ１０４−１に送信する。その後、ＡＰ１０２は、フィードバックフレーム４０６−２および４０６−３を他のＳＴＡ１０４−２および１０４−３にそれぞれ、シーケンシャルに送信することができる。例えば、ＡＰ１０２は、フィードバックフレーム４０６−２をＳＴＡ１０４−２に送信する。ＳＴＡ１０４は、それぞれの送信ビームフォーミングマトリクスをＵＬ  ＭＵ送信のためのそれぞれのフィードバックフレーム４０６のデータから直接取得する。
【００４３】
本開示の実施例１によれば、特定のＳＴＡのためのフィードバックフレーム４０６は、（ｉ）特定のＳＴＡのための１つまたは複数の候補サブバンドの表示、（ｉｉ）特定のＳＴＡのための１つまたは複数の候補サブバンドのそれぞれに対応する送信方式の意図された使用、（ｉｉｉ）特定のＳＴＡのための１つまたは複数の候補サブバンドのそれぞれに対応する１つまたは複数の品質インジケータ、（ｉｖ）特定のＳＴＡのための１つまたは複数の候補サブバンドのそれぞれに対応するビームフォーミングフィードバック、（ｖ）特定のＳＴＡのためのバンド幅全体に対応する送信方式の意図された使用、（ｖｉ）特定のＳＴＡのためのバンド幅全体に対応する１つまたは複数の品質インジケータ、（ｖｉｉ）特定のＳＴＡのためのバンド幅全体に対応するビームフォーミングフィードバック情報、および（ｖｉｉｉ）ＵＬ電力制御情報（例えば必要電力調節量）などのうち、１つまたは複数を含む。
【００４４】
本開示の実施例１によれば、バンド幅全体または特定のＳＴＡのための候補サブバンドに対応するビームフォーミングフィードバック情報に含まれるものは、バンド幅全体または特定のＳＴＡのための候補サブバンドのための送信方式の意図された使用に依存する。バンド幅全体または候補サブバンドがＵＬ  ＳＵ−ＭＩＭＯ送信のためだけに使われなければならない場合、バンド幅全体または候補サブバンドに対応するビームフォーミングフィードバック情報は、ＵＬ  ＳＵ−ＭＩＭＯ送信に特有の送信ビームフォーミングマトリクスを表す。バンド幅全体または候補サブバンドがＵＬ  ＭＵ−ＭＩＭＯ送信のためだけに使われなければならない場合、バンド幅全体または候補サブバンドに対応するビームフォーミングフィードバック情報は、ＵＬ  ＭＵ−ＭＩＭＯ送信に特有の送信ビームフォーミングマトリクスを表す。バンド幅全体または候補サブバンドがＵＬ  ＳＵ−ＭＩＭＯまたはＵＬ  ＭＵ−ＭＩＭＯ送信のために使われなければならない場合、バンド幅全体または候補サブバンドに対応するビームフォーミングフィードバック情報は、ＵＬ  ＳＵ−ＭＩＭＯ送信に特有の送信ビームフォーミングマトリクスおよびＵＬ  ＭＵ−ＭＩＭＯ送信に特有の送信ビームフォーミングマトリクスの両方を表す。
【００４５】
本開示の実施例１によれば、第１のＳＴＡ（例えば、ＳＴＡ１０４−１）および第２のＳＴＡ（例えば、ＳＴＡ１０４−２）がバンド幅全体または特定のサブバンド上のＵＬ  ＭＵ−ＭＩＭＯ送信に従事する場合、バンド幅全体または第１のＳＴＡのためのフィードバックフレーム（例えば、ＳＴＡ１０４−１のためのフィードバックフレーム４０６−１）において表される特定のサブバンド上の、ＵＬ  ＭＵ−ＭＩＭＯ送信に特有の送信ビームフォーミングマトリクスは、展開されたものに基づく。ＵＬ  ＭＵ−ＭＩＭＯ送信に特有の送信ビームフォーミングマトリクスは、第１のＳＴＡによって送信されるサウンディングフレーム（例えば、ＳＴＡ１０４−１によって送信されるサウンディングフレーム４０４−１）だけでなく、第２のＳＴＡによって送信されるサウンディングフレーム（例えば、ＳＴＡ１０４−２によって送信されるサウンディングフレーム４０４−２）にも展開される。言い換えれば、第１のＳＴＡのためのフィードバックフレーム（例えば、ＳＴＡ１０４−１のためのフィードバックフレーム４０６−１）において表されるＵＬ  ＭＵ−ＭＩＭＯ送信に特有の送信ビームフォーミングマトリクスは、ＡＰ１０２と第１のＳＴＡ（例えば、ＳＴＡ１０４−１）間のチャネル状態が変化しなかった場合であっても、ＡＰ１０２と第２のＳＴＡ（例えば、ＳＴＡ１０４−２）間のチャネル状態が変化するときに、変化する。
【００４６】
図５は、ＡＰ１０２が図４のサウンディング手順４００の間、ＳＴＡに送信するように構成される例示フィードバックフレーム５００を示す図である。フィードバックフレーム５００は、図４の各フィードバックフレーム４０６−１、４０６−２および４０６−３に対応する。フィードバックフレーム５００は、ＭＩＭＯ制御フィールド５０２、全バンドフィードバック部５０４およびサブバンドフィードバック部５０６を含む。
【００４７】
全バンドフィードバック部５０４は、電源制御装置情報フィールド５１２、平均ＳＮＲフィールド５１４、意図された使用フィールド５１６およびビームフォーミングフィードバックフィールド５１８を含む。全バンドフィードバック部５０４は、通信チャネルのバンド幅全体をカバーするフィードバックを含む。あるいは、全バンドフィードバック部５０４は、フィードバックがそれに基づいてＡＰ１０２によって生成された、サウンディングフレームのバンド幅をカバーするフィードバックを含む。ビームフォーミングフィードバックフィールド５１８は、特定のＳＴＡによって送信されるサウンディングフレームに基づいてＡＰ１０２によって生成される特定のＳＴＡのためのバンド幅全体上のビームフォーミングフィードバックのいくつかの形を含む。上述したように、バンド幅全体上のビームフォーミングフィードバックは、バンド幅全体のために使われることを目的とする送信方式に依存する。ビームフォーミングフィードバックフィールド５１８は、ＩＥＥＥ  ８０２．１１ａｃ標準において定められるものと同様の圧縮ビームフォーミングフィードバックを含む。あるいは、ビームフォーミングフィードバックフィールド５１８は、ＩＥＥＥ  ８０２．１１ｎ標準において定められるものと同様の圧縮されていないビームフォーミングフィードバックなどの、ビームフォーミングフィードバックの別の適切な形を含む。
【００４８】
サブバンドフィードバック部５０６は、多くの候補サブバンドフィールド５２２および複数のサブバンドベースのフィードバックフィールド５２４を含み、そのそれぞれは特定の候補サブバンドに対応する。各サブバンドベースのフィードバックフィールド５２４は、サブバンド表示フィールド５３２、サブバンドフィールド５３４当たりの平均ＳＮＲ、サブバンドフィールド５３６当たりの意図された使用およびサブバンドフィールド５３８当たりのビームフォーミングフィードバックを含む。サブバンド表示フィールド５３２は、特定のサブバンドを示す。サブバンドフィールド５３８当たりのビームフォーミングフィードバックは、特定のＳＴＡによって送信されるサウンディングフレームに基づいてＡＰ１０２によって生成される特定のＳＴＡのための特定のサブバンド上のビームフォーミングフィードバックのいくつかの形を含む。上述したように、特定のサブバンド上のビームフォーミングフィードバックは、サブバンドフィールド５３６当たりの対応する意図された使用において指定される特定のサブバンドのために使われることを意図する送信方式に依存する。サブバンドフィールド５３８当たりのビームフォーミングフィードバックは、ＩＥＥＥ  ８０２．１１ａｃ標準において定められるものと同様の圧縮ビームフォーミングフィードバックを含む。あるいは、サブバンドフィールド５１６当たりのビームフォーミングフィードバックは、ＩＥＥＥ  ８０２．１１ｎ標準において定められるものと同様の圧縮されていないビームフォーミングフィードバックなどの、ビームフォーミングフィードバックの別の適切な形を含む。
【００４９】
ＡＰ１０２は、図４の時間間隔４２８の間に、バンド幅全体に対応するチャネル状態情報、通信チャネルの１つまたは複数のサブバンドに対応する品質インジケータおよび／またはＳＴＡ１０４の少なくともいくつかのために取得されるデータバッファ状態に基づいて、ＵＬ  ＭＵ送信のためのＵＬグループ（例えば、この実施例ではＳＴＡ１０４−１および１０４−２）に包含するためのＳＴＡのサブセットを選択する。また、ＡＰ１０２は、それぞれの送信方式を指定して、それぞれの送信資源（例えば、ＵＬ  ＯＦＤＭＡに関するサブバンド）をＵＬグループのＳＴＡに割り当てる。
【００５０】
１つの例に対して、２つ以上のＳＴＡが、それらは送信される大量のバッファリングされたデータを有し、そして、２つ以上のＳＴＡのそれぞれに対する通信チャネルの品質が受け入れ可能である（例えば、バンド幅全体に対応するＳＮＲが予め定められた閾値に対して勝る）ということをＡＰ１０２に示した場合、ＡＰ１０２は、ＵＬグループに包含するための２つ以上のＳＴＡを選択することができて、ＵＬグループの２つ以上のＳＴＡがバンド幅全体上のＵＬ  ＭＵ−ＭＩＭＯ送信を実行するよう予定することができる。
【００５１】
別の例に対して、２つ以上のＳＴＡが、それらは送信されるバッファリングされたデータを有し、そして、２つ以上のＳＴＡのそれぞれに対する１つまたは複数の候補サブバンドに対応する品質が受け入れ可能である（例えば、候補サブバンドに対応するＳＩＮＲが予め定められた閾値に対して勝る）ということをＡＰ１０２に示した場合、ＡＰ１０２は、ＵＬグループに包含するための２つ以上のＳＴＡを選択することができる。それから、ＡＰ１０２は、それぞれのサブバンドをＵＬグループの２つ以上のＳＴＡに割り当てることができて、ＵＬグループの２つ以上のＳＴＡがそれらのそれぞれの割当サブバンド上のＵＬ  ＳＵ−ＭＩＭＯ送信を実行するよう予定することができる。
【００５２】
本開示の実施例１によれば、図４のフィードバック送信（時間間隔４２６）ならびにグループ化およびサブバンド割当て（時間間隔４２８）のタイミング順序は、交換可能でもよい。例えば、ＡＰ１０２は、時間間隔４２６の間に、ＵＬグループに包含するためのＳＴＡのサブセットを選択し、それぞれの送信方式を指定し、最初にそれぞれの送信資源をＵＬグループの各ＳＴＡに割り当てることができる。ＡＰ１０２は、それから時間間隔４２８の間に、それぞれのフィードバックフレーム４０６をＵＬグループのＳＴＡ１０４に送信することへ進む。
【００５３】
ＡＰ１０２は、時間間隔４３２の間に、ＵＬ  ＭＵ送信のためのＵＬグループに含まれるＳＴＡ（例えば、この例ではＳＴＡ１０４−１および１０４−２）に、トリガフレーム４０８を送信する。トリガフレーム４０８は、ＵＬグループのＳＴＡに特定の時間間隔に同時にデータをＡＰ１０２に送信させる。また、トリガフレーム４０８は、指定された送信方式に関する情報および／またはＵＬグループの各ＳＴＡのための割当送信資源を含む。
【００５４】
ＵＬグループのＳＴＡ（例えば、この例ではＳＴＡ１０４−１および１０４−２）は、時間間隔４３４の間に、トリガフレーム４０８がＵＬ  ＭＵ−ＭＩＭＯ送信を起動する場合、バンド幅全体上のＵＬ  ＭＵ−ＭＩＭＯ送信に特有のそれぞれの送信ビームフォーミングマトリクスを用いてＡＰ１０２にバンド幅全体上でそれぞれのデータ４１０を同時に送信する。ＵＬグループのＳＴＡは、トリガフレーム４０８がＵＬ  ＯＦＤＭＡ送信を起動する場合、それぞれのデータ４１０をそれぞれの送信ビームフォーミングマトリクスを用いてそれぞれの割当サブバンド上のＡＰ１０２に同時に送信する。これらの送信ビームフォーミングマトリクスは、それぞれの指定された送信方式およびそれぞれの割当サブバンドに従ってそれぞれのフィードバックフレーム４０６から生成され得る。例えば、ＳＴＡ１０４−１のための指定された送信方式がＵＬ  ＳＵ−ＭＩＭＯである場合、ＳＴＡ１０４−１のための割当サブバンド上のＵＬ  ＳＵ−ＭＩＭＯ送信に特有の送信ビームフォーミングマトリクスは、フィードバックフレーム４０６−１の対応するデータから直接生成される。
【００５５】
（実施例２）
図６は、本開示の実施例２による、サウンディング手順６００に基づいた例示サウンディング手順６００および例示ＵＬ  ＭＵ送信を示す概略タイミング図である。図４のサウンディング手順４００と同様に、サウンディング手順６００もまた明示的なサウンディング手順である。
【００５６】
ＡＰ１０２は、時間間隔６２２−１の間に、サウンディングアナウンスメントフレーム６０２−１をＳＴＡ１０４−１に送信して、サウンディング手順６００を開始し、ＳＴＡ１０４−１にサウンディングフレームを送信することを要求する。ＳＴＡ１０４−１は、時間間隔６２４−１の間に、サウンディングアナウンスメントフレーム６０２−１を受信することに応答して、サウンディングフレーム６０４−１をＡＰ１０２に送信する。サウンディングフレーム６０４−１は、適切なトレーニング信号をＰＨＹプリアンブル（例えば、ＨＥ−ＬＴＦフィールド）に含む。サウンディングフレーム６０４−１は、ＳＴＡ１０４−１のためのＵＬ電力制御情報（例えば、送信電力、電源調整範囲および／または電力ヘッドルーム）をＰＨＹプリアンブル（例えば、ＨＥ−ＳＩＧ−Ａフィールド）に含むこともできる。サウンディングフレーム６０４−１は、ＮＤＰでもよい。ＡＰ１０２は、サウンディングフレーム６０４−１に含まれるトレーニング信号に基づいて、ＳＴＡ１０４−１からＡＰ１０２への通信チャネルのバンド幅全体に対応するチャネル状態情報（例えば、利得、位相、ＳＮＲなど）を取得する。加えて、または、代わりに、ＡＰ１０２は、ＳＴＡ１０４−１からＡＰ１０２への通信チャネルの１つまたは複数のサブバンドに対応する品質インジケータ（例えば、ＳＮＲ、ＳＮＩＲ、信号強度など）を決定する。ＡＰ１０２は、ＵＬ送信のために使われるＳＴＡ１０４−１のための１つまたは複数の候補サブバンドを更に識別する。
【００５７】
ＡＰ１０２は、他のＳＴＡ１０４にシーケンシャルにそれぞれのサウンディングフレームを送信させることができる。ＡＰ１０２は、受信したサウンディングフレームに基づいて、他のＳＴＡ１０４のそれぞれからＡＰ１０２への通信チャネルのバンド幅全体に対応するチャネル状態情報および／または他のＳＴＡ１０４のそれぞれからＡＰ１０２への通信チャネルの１つまたは複数のサブバンドに対応する品質インジケータを取得する。ＡＰ１０２は、他のＳＴＡ１０４のそれぞれのための１つまたは複数の候補サブバンドを更に識別する。例えば、ＡＰ１０２は、時間間隔６２２−２の間に、サウンディングアナウンスメントフレーム６０２−２をＳＴＡ１０４−２に送信する。ＳＴＡ１０４−２は、時間間隔６２４−２の間に、サウンディングアナウンスメントフレーム６０２−２を受信することに応答して、サウンディングフレーム６０４−２をＡＰ１０２に送信する。ＡＰ１０２は、ＳＴＡ１０４−２からＡＰ１０２への通信チャネルのバンド幅全体に対応するチャネル状態情報を取得する。加えて、または、代わりに、ＡＰ１０２は、ＳＴＡ１０４−２からＡＰ１０２への通信チャネルの各１つまたは複数のサブバンドに対応する品質インジケータを決定する。更にまた、ＡＰ１０２は、ＵＬ送信のために使われるＳＴＡ１０４−２のための１つまたは複数の候補サブバンドを識別する。
【００５８】
本開示の実施例２によれば、ＡＰ１０２は、各ＳＴＡ１０４からＡＰ１０２への通信チャネルのバンド幅全体に対応するチャネル状態情報および／または各ＳＴＡ１０４からＡＰ１０２への通信チャネルの１つまたは複数の候補サブバンドに対応する品質インジケータに基づいて、バンド幅全体および／または各ＳＴＡ１０４のための１つまたは複数の候補サブバンドのそれぞれのための送信方式の意図された使用を識別する。例えば、ＡＰ１０２は、バンド幅全体か各ＳＴＡ１０４のための１つまたは複数の候補サブバンドのそれぞれがＵＬ  ＳＵ−ＭＩＭＯ送信か、ＵＬ  ＭＵ−ＭＩＭＯ送信か、その両方とものために使われなければならないかを決定する。
【００５９】
本開示の実施例２によれば、ＡＰ１０２は、バンド幅全体または候補サブバンドがＳＴＡによるＵＬ  ＳＵ−ＭＩＭＯ送信のためだけに使われなければならないと決定する場合には、実施例１と同様の方法で、バンド幅全体または候補サブバンド上のＵＬ  ＳＵ−ＭＩＭＯ送信に特有のＳＴＡのための送信ビームフォーミングマトリクスを展開する。
【００６０】
本開示の実施例２によれば、ＡＰ１０２は、バンド幅全体または候補サブバンドがＳＴＡのグループによるＵＬ  ＭＵ−ＭＩＭＯ送信のためだけに使われなければならないと決定する場合には、実施例１と同様の方法で、バンド幅全体または候補サブバンド上のＵＬ  ＭＵ−ＭＩＭＯ送信に特有のグループの各ＳＴＡのための送信ビームフォーミングマトリクスを展開する。
【００６１】
本開示の実施例２によれば、ＡＰ１０２は、バンド幅全体または候補サブバンドがＳＴＡによるＵＬ  ＳＵ−ＭＩＭＯ送信またはＳＴＡのグループによるＵＬ  ＭＵ−ＭＩＭＯ送信のために使われなければならないと決定する場合には、ＵＬ  ＳＵ−ＭＩＭＯ送信に特有のＳＴＡのための送信ビームフォーミングマトリクスおよびバンド幅全体または候補サブバンド上のＵＬ  ＭＵ−ＭＩＭＯ送信に特有のグループの各ＳＴＡのための送信ビームフォーミングマトリクスを展開する。
【００６２】
ＡＰ１０２は、時間間隔６２６の間に、フィードバックフレームをＤＬ  ＯＦＤＭＡまたはＤＬ  ＭＵ−ＭＩＭＯと多重化することによって、ＤＬ  ＭＵ  ＰＰＤＵにおいて同時に、それぞれのフィードバックフレーム６０６をＳＴＡ１０４に送信する。この例では、ＡＰ１０２は、フィードバックフレーム６０６−１、６０６−２および６０６−３をＳＴＡ１０４−１、１０４−２および１０４−３に、それぞれ、ＤＬ  ＭＵ  ＰＰＤＵにおいて送信する。ＤＬ  ＭＵ送信において各ＳＴＡ１０４のためにＡＰ１０２により用いられる送信ビームフォーミングマトリクスが、ＤＬ  ＭＵ送信のためのサウンディング手順（例えば特許文献２を参照）を介して、前もって取得されることに注意されたい。ＳＴＡ１０４は、それぞれの送信ビームフォーミングマトリクスをＵＬ  ＭＵ送信のためのそれぞれのフィードバックフレーム６０６のデータから直接取得する。
【００６３】
本開示の実施例２によれば、フィードバックフレーム６０６が同時にＡＰ１０２によってＳＴＡ１０４に送信されるので、フィードバックフレーム４０６がシーケンシャルにＡＰ１０２によってＳＴＡ１０４に送信される実施例１と比較して、チャネル効率は改善される。
【００６４】
本開示の実施例２によれば、特定のＳＴＡのためのフィードバックフレーム６０６は、（ｉ）特定のＳＴＡのための１つまたは複数の候補サブバンドの表示、（ｉｉ）特定のＳＴＡのための１つまたは複数の候補サブバンドのそれぞれに対応する送信方式の意図された使用、（ｉｉｉ）特定のＳＴＡのための１つまたは複数の候補サブバンドのそれぞれに対応する１つまたは複数の品質インジケータ、（ｉｖ）特定のＳＴＡのための１つまたは複数の候補サブバンドのそれぞれに対応するビームフォーミングフィードバック、（ｖ）特定のＳＴＡのためのバンド幅全体に対応する送信方式の意図された使用、（ｖｉ）特定のＳＴＡのためのバンド幅全体に対応する１つまたは複数の品質インジケータ、（ｖｉｉ）特定のＳＴＡのためのバンド幅全体に対応するビームフォーミングフィードバック、および（ｖｉｉｉ）電力制御情報（例えば必要電力調節量）などのうち、１つまたは複数を含む。
【００６５】
本開示の実施例２によれば、バンド幅全体または特定のＳＴＡのための候補サブバンドに対応するビームフォーミングフィードバックに含まれるものは、バンド幅全体または特定のＳＴＡのための候補サブバンドのための送信方式の意図された使用に依存する。バンド幅全体または候補サブバンドがＵＬ  ＳＵ−ＭＩＭＯ送信のためだけに使われる予定である場合、バンド幅全体または候補サブバンドに対応するビームフォーミングフィードバックは、ＵＬ  ＳＵ−ＭＩＭＯ送信に特有の送信ビームフォーミングマトリクスを表す。バンド幅全体または候補サブバンドがＵＬ  ＭＵ−ＭＩＭＯ送信のためだけに使われる予定である場合、バンド幅全体または候補サブバンドに対応するビームフォーミングフィードバックは、ＵＬ  ＭＵ−ＭＩＭＯ送信に特有の送信ビームフォーミングマトリクスを表す。バンド幅全体または候補サブバンドがＵＬ  ＳＵ−ＭＩＭＯまたはＵＬ  ＭＵ−ＭＩＭＯ送信のために使われる予定である場合、バンド幅全体または候補サブバンドに対応するビームフォーミングフィードバックは、ＵＬ  ＳＵ−ＭＩＭＯ送信に特有の送信ビームフォーミングマトリクスおよびＵＬ  ＭＵ−ＭＩＭＯ送信に特有の送信ビームフォーミングマトリクスを表す。
【００６６】
ＡＰ１０２は、時間間隔６２８の間に、バンド幅全体に対応するチャネル状態情報、通信チャネルの１つまたは複数のサブバンドに対応する品質インジケータおよび／またはＳＴＡ１０４の少なくともいくつかのために取得されるデータバッファ状態に基づいて、ＵＬ  ＭＵ送信のためのＵＬグループに包含するためのＳＴＡのサブセットを選択する。また、ＡＰ１０２は、それぞれの送信方式を指定して、それぞれの送信資源（例えば、ＵＬ  ＯＦＤＭＡに関するサブバンド）をＵＬグループのＳＴＡに割り当てる。
【００６７】
本開示の実施例２によれば、図６のフィードバック送信（時間間隔６２６）およびグループ化およびサブバンド割当て（時間間隔６２８）のタイミング順序は、交換可能でもよい。例えば、ＡＰ１０２は、時間間隔６２６の間に、ＵＬグループに包含するためのＳＴＡを選択し、それぞれの送信方式を指定し、最初にそれぞれの送信資源をＵＬグループのＳＴＡに割り当てることができる。それから、ＡＰ１０２は、時間間隔６２８の間に、それぞれのフィードバックフレーム６０６をＵＬグループのＳＴＡ１０４に送信することへ進む。
【００６８】
ＡＰ１０２は、時間間隔６３２の間に、トリガフレーム６０８をＵＬ  ＭＵ送信のためのＵＬグループのＳＴＡ（例えば、この例ではＳＴＡ１０４−１および１０４−２）に送信する。トリガフレーム６０８は、ＵＬグループのＳＴＡに特定の時間に同時にデータをＡＰ１０２に送信させる。トリガフレーム６０８は、ＵＬグループのＳＴＡに特定の時間に同時にデータをＡＰ１０２に送信させる。また、トリガフレーム６０８は、ＵＬグループの各ＳＴＡのための指定された送信方式に関する情報および／または割当送信資源を含む。
【００６９】
ＵＬグループのＳＴＡ（すなわち、この例ではＳＴＡ１０４−１および１０４−２）は、時間間隔６３４の間に、トリガフレーム６０８がＵＬ  ＭＵ−ＭＩＭＯ送信を起動する場合、バンド幅全体上のＵＬ  ＭＵ−ＭＩＭＯ送信に特有のそれぞれの送信ビームフォーミングマトリクスを用いて、ＡＰ１０２にバンド幅全体上で同時にそれぞれのデータ６１０を送信する。ＵＬグループのＳＴＡは、トリガフレーム６０８がＵＬ  ＯＦＤＭＡ送信を起動する場合、それぞれの指定された送信方式およびそれぞれの割当サブバンドに従ってそれぞれのフィードバックフレーム６０６から生成され得るそれぞれの送信ビームフォーミングマトリクスを用いて、それぞれの割当サブバンド上のＡＰ１０２に、それぞれのデータ６１０を同時に送信する。例えば、ＳＴＡ１０４−１のための指定された送信方式がＵＬ  ＳＵ−ＭＩＭＯである場合、ＳＴＡ１０４−１のための割当サブバンド上のＵＬ  ＳＵ−ＭＩＭＯ送信に特有の送信ビームフォーミングマトリクスは、フィードバックフレーム６０６−１の対応するデータから直接生成される。
【００７０】
（実施例３）
図７は、本開示の実施例３による、例示サウンディング手順７００およびサウンディング手順７００に基づいた例示ＵＬ  ＭＵ送信を示す概略タイミング図である。図４のサウンディング手順４００と同様に、サウンディング手順７００も、明示的なサウンディング手順である。
【００７１】
ＡＰ１０２は、時間間隔７２２の間に、サウンディングアナウンスメントフレーム７０２をＳＴＡ１０４に送信して、サウンディング手順７００を開始する。言い換えれば、単一のサウンディングアナウンスメントフレーム７０２は、すべてのＳＴＡ１０４に対してマルチキャストされる。サウンディングアナウンスメントフレーム７０２は、ＳＴＡ１０４がそれぞれのサウンディングフレームを送信するタイミングを調整する情報を含む。例えば、サウンディングアナウンスメントフレーム７０２のペイロードは、サウンディングフレームを送信するよう求められるＳＴＡ１０４の順位付けを示すことができる。
【００７２】
本開示の実施例３によれば、サウンディングアナウンスメントフレーム７０２がＳＴＡ１０４に対してマルチキャストされるので、サウンディングアナウンスメントフレーム６０２が個々にＡＰ１０２によってＳＴＡ１０４に送信される実施例２と比較して、チャネル効率は改善される。
【００７３】
ＳＴＡ１０４は、時間間隔７２４の間に、サウンディングアナウンスメントフレーム７０２を受信することに応答して、サウンディングアナウンスメントフレーム７０２に含まれるタイミング情報に従って、それぞれのサウンディングフレーム７０４をＡＰ１０２にシーケンシャルに送信する。この例では、ＳＴＡ１０４−１は、サウンディングフレーム７０４−１をＡＰ１０２に送信し、その後、続けて、ＳＴＡ１０４−２およびＳＴＡ１０４−３が、ウンディングフレーム７０４−１をＡＰ１０２に送信する。各サウンディングフレーム７０４は、適切なトレーニング信号をＰＨＹプリアンブル（例えば、ＨＥ−ＬＴＦフィールド）に含む。各サウンディングフレーム７０４は、ＰＨＹプリアンブル（例えば、ＨＥ−ＳＩＧ−Ａフィールド）のサウンディングフレーム（例えば、送信電力、電力調整範囲および／または電力ヘッドルーム）を送信するＳＴＡ１０４のためのＵＬ電力制御情報を含むこともできる。各サウンディングフレーム７０４は、ＮＤＰでもよい。ＡＰ１０２は、各サウンディングフレーム７０４に含まれるトレーニング信号に基づいて、各ＳＴＡ１０４からＡＰ１０２への通信チャネルのバンド幅全体に対応するチャネル状態情報（例えば、利得、位相、ＳＮＲなど）を取得する。加えて、または、代わりに、ＡＰ１０２は、各ＳＴＡ１０４からＡＰ１０２への通信チャネルの１つまたは複数のサブバンドのそれぞれに対応する品質インジケータ（例えば、ＳＮＲ、ＳＮＩＲ、信号強度など）を決定する。ＡＰ１０２は、ＵＬ送信のために使われる各ＳＴＡ１０４のための１つまたは複数の候補サブバンドを更に識別する。
【００７４】
本開示の実施例３によれば、ＡＰ１０２は、各ＳＴＡ１０４からＡＰ１０２への通信チャネルのバンド幅全体に対応するチャネル状態情報および／または各ＳＴＡ１０４からＡＰ１０２への通信チャネルの１つまたは複数の候補サブバンドに対応する品質インジケータに基づいて、バンド幅全体および／または各ＳＴＡ１０４のための１つまたは複数の候補サブバンドのそれぞれのための送信方式の意図された使用を識別する。例えば、ＡＰ１０２は、バンド幅全体または各ＳＴＡ１０４のための１つまたは複数の候補サブバンドのそれぞれがＵＬ  ＳＵ−ＭＩＭＯ送信か、ＵＬ  ＭＵ−ＭＩＭＯ送信か、その両方とものために使われなければならないかを決定する。
【００７５】
本開示の実施例３によれば、ＡＰ１０２は、バンド幅全体または候補サブバンドがＳＴＡによってＵＬ  ＳＵ−ＭＩＭＯ送信のためだけに使われなければならないと決定する場合には、実施例１と同様の方法で、バンド幅全体または候補サブバンド上のＵＬ  ＳＵ−ＭＩＭＯ送信に特有のＳＴＡのための送信ビームフォーミングマトリクスを展開する。
【００７６】
本開示の実施例３によれば、ＡＰ１０２は、バンド幅全体または候補サブバンドがＳＴＡのグループによってＵＬ  ＭＵ−ＭＩＭＯ送信のためだけに使われなければならないと決定する場合には、実施例１と同様の方法で、バンド幅全体または候補サブバンド上のＵＬ  ＭＵ−ＭＩＭＯ送信に特有のＵＬグループの各ＳＴＡのための送信ビームフォーミングマトリクスを展開する。
【００７７】
本開示の実施例３によれば、ＡＰ１０２は、バンド幅全体または候補サブバンドがＳＴＡによるＵＬ  ＳＵ−ＭＩＭＯ送信またはＳＴＡのグループによるＵＬ  ＭＵ−ＭＩＭＯ送信のために使われなければならないと決定する場合には、ＳＴＡのためのＵＬ  ＳＵ−ＭＩＭＯ送信に特有の送信ビームフォーミングマトリクスおよびバンド幅全体または候補サブバンド上のグループの各ＳＴＡのためのＵＬ  ＭＵ−ＭＩＭＯ送信に特有の送信ビームフォーミングマトリクスの両方を展開する。
【００７８】
時間間隔７２６の間に、ＡＰ１０２は、ＤＬ  ＭＵ  ＰＰＤＵにおいて同時に、それぞれのフィードバックフレーム７０６をＳＴＡ１０４に送信する。この例では、ＡＰ１０２は、フィードバックフレーム７０６−１、７０６−２および７０６−３をＳＴＡ１０４−１、１０４−２および１０４−３に、それぞれ、ＤＬ  ＭＵ  ＰＰＤＵにおいて送信する。ＤＬ  ＭＵ送信の各ＳＴＡ１０４のためのＡＰ１０２により用いられる送信ビームフォーミングマトリクスがＤＬ  ＭＵ送信のサウンディング手順を介して前もって取得されることに注意されたい。ＳＴＡ１０４は、それぞれの送信ビームフォーミングマトリクスをＵＬ  ＭＵ送信のためのそれぞれのフィードバックフレーム７０６のデータから直接取得する。
【００７９】
本開示の実施例３によれば、特定のＳＴＡのためのフィードバックフレーム７０６は、（ｉ）特定のＳＴＡのための１つまたは複数の候補サブバンドの表示、（ｉｉ）特定のＳＴＡのための１つまたは複数の候補サブバンドのそれぞれに対応する送信方式の意図された使用、（ｉｉｉ）特定のＳＴＡのための１つまたは複数の候補サブバンドのそれぞれに対応する１つまたは複数の品質インジケータ、（ｉｖ）特定のＳＴＡのための１つまたは複数の候補サブバンドのそれぞれに対応するビームフォーミングフィードバック、（ｖ）特定のＳＴＡのためのバンド幅全体に対応する送信方式の意図された使用、（ｖｉ）特定のＳＴＡのためのバンド幅全体に対応する１つまたは複数の品質インジケータ、（ｖｉｉ）特定のＳＴＡのためのバンド幅全体に対応するビームフォーミングフィードバック、および（ｖｉｉｉ）電力制御情報（例えば必要電力調節量）などのうち、１つまたは複数を含む。
【００８０】
本開示の実施例３によれば、バンド幅全体または特定のＳＴＡのための候補サブバンドに対応するビームフォーミングフィードバックに含まれるものは、バンド幅全体または特定のＳＴＡのための候補サブバンドのための送信方式の意図された使用に依存する。バンド幅全体または候補サブバンドがＵＬ  ＳＵ−ＭＩＭＯ送信のためだけに使われる予定である場合、バンド幅全体または候補サブバンドに対応するビームフォーミングフィードバックは、送信がＵＬ  ＳＵ−ＭＩＭＯ送信に特有の送信ビームフォーミングマトリクスを表す。バンド幅全体または候補サブバンドがＵＬ  ＭＵ−ＭＩＭＯ送信のためだけに使われなければならない場合、バンド幅全体または候補サブバンドに対応するビームフォーミングフィードバックは、ＵＬ  ＭＵ−ＭＩＭＯ送信に特有の送信ビームフォーミングマトリクスを表す。バンド幅全体または候補サブバンドがＵＬ  ＳＵ−ＭＩＭＯまたはＵＬ  ＭＵ−ＭＩＭＯ送信のために使われなければならない場合、バンド幅全体または候補サブバンドに対応するビームフォーミングフィードバックは、ＵＬ  ＳＵ−ＭＩＭＯ送信に特有の送信ビームフォーミングマトリクスおよびＵＬ  ＭＵ−ＭＩＭＯ送信に特有の送信ビームフォーミングマトリクスの両方を表す。
【００８１】
ＡＰ１０２は、時間間隔７２８の間に、少なくともＳＴＡ１０４のいくつかのために取得される通信チャネルの、バンド幅全体に対応するチャネル状態情報および／または１つまたは複数のサブバンドに対応する品質インジケータに基づいて、ＵＬ  ＭＵ送信のためのＵＬグループに包含するためのＳＴＡを選択する。また、ＡＰ１０２は、それぞれの送信方式を指定して、それぞれの送信資源（例えば、ＵＬ  ＯＦＤＭＡに関するサブバンド）をＵＬグループのＳＴＡに割り当てる。
【００８２】
本開示の実施例３によれば、図７のフィードバック送信のタイミング順序（時間間隔７２６）ならびにグループ化およびサブバンド割当て（時間間隔７２８）は、交換可能でもよい。例えば、ＡＰ１０２は、時間間隔７２６の間に、ＵＬグループに包含するためのＳＴＡを選択し、それぞれの送信方式を指定し、最初にそれぞれの送信資源をＵＬグループのＳＴＡに割り当てることができる。それから、ＡＰ１０２は、時間間隔７２８の間に、続けて、それぞれのフィードバックフレーム７０６をＳＴＡ１０４に送信する。
【００８３】
ＡＰ１０２は、時間間隔７３２の間に、トリガフレーム７０８をＵＬ  ＭＵ送信のためのＵＬグループのＳＴＡ（例えば、この例ではＳＴＡ１０４−１および１０４−２）に送信する。トリガフレーム７０８は、ＵＬグループのＳＴＡに特定の時間に同時にデータをＡＰ１０２に送信させる。また、トリガフレーム７０８は、ＵＬグループの各ＳＴＡのための指定された送信方式および／または割当送信資源に関する情報を含む。
【００８４】
ＵＬグループのＳＴＡ（すなわち、この例ではＳＴＡ１０４−１および１０４−２）は、時間間隔７３４の間に、トリガフレーム７０８がＵＬ  ＭＵ−ＭＩＭＯ送信を起動する場合には、バンド幅全体上のＵＬ  ＭＵ−ＭＩＭＯ送信に特有のそれぞれの送信ビームフォーミングマトリクスを用いて、ＡＰ１０２にバンド幅全体上で同時にそれぞれのデータ７１０を送信する。ＵＬグループのＳＴＡは、トリガフレーム７０８がＵＬ  ＯＦＤＭＡ送信を起動する場合には、それぞれの指定された送信方式およびそれぞれの割当サブバンドに従ってそれぞれのフィードバックフレーム７０６から生成され得るそれぞれの送信ビームフォーミングマトリクスを用いて、ＡＰ１０２にそれぞれの割当サブバンド上で同時にそれぞれのデータ７１０を送信する。例えば、ＳＴＡ１０４−１のための指定された送信方式がＵＬ  ＳＵ−ＭＩＭＯである場合、ＳＴＡ１０４−１のための割当サブバンド上のＵＬ  ＳＵ−ＭＩＭＯ送信に特有の送信ビームフォーミングマトリクスは、フィードバックフレーム７０６−１の対応するデータから直接生成される。
【００８５】
（実施例４）
図８は、本開示の実施例４による、例示サウンディング手順８００およびサウンディング手順８００に基づいた例示ＵＬ  ＭＵ送信を示す概略タイミング図である。図４のサウンディング手順４００と同様に、サウンディング手順８００はまた、明示的なサウンディング手順である。
【００８６】
ＡＰ１０２は、時間間隔８２２の間に、サウンディングアナウンスメントフレーム８０２をＳＴＡ１０４に送信して、サウンディング手順８００を開始する。サウンディングアナウンスメントフレーム８０２は、ＳＴＡ１０４がそれぞれのサウンディングフレームを送信するときのタイミングを調整する情報を含む。例えば、サウンディングアナウンスメントフレーム８０２のペイロードは、サウンディングフレームを送信するために求められるＳＴＡ１０４の順序付けを示すことができる。
【００８７】
ＳＴＡ１０４は、時間間隔８２４の間に、サウンディングアナウンスメントフレーム８０２を受信することに応答して、サウンディングアナウンスメントフレーム８０２に含まれるタイミング情報に従って、それぞれのサウンディングフレーム８０４をＡＰ１０２にシーケンシャルに送信する。この例では、ＳＴＡ１０４−１は、サウンディングフレーム８０４−１をＡＰ１０２に送信する。その後、続けて、ＳＴＡ１０４−２およびＳＴＡ１０４−３がサウンディングフレーム８０４−１をＡＰ１０２に送信する。各サウンディングフレーム８０４は、適切なトレーニング信号をＰＨＹプリアンブル（例えば、ＨＥ−ＬＴＦフィールド）に含む。各サウンディングフレーム８０４は、ＰＨＹプリアンブル（例えば、ＨＥ−ＳＩＧ−Ａフィールド）にサウンディングフレーム（例えば、送信電力、電源調整範囲および／または電力ヘッドルーム）を送信するＳＴＡ１０４のためのＵＬ電力制御情報を含むこともできる。各サウンディングフレーム８０４は、ＮＤＰでもよい。ＡＰ１０２は、各サウンディングフレーム８０４に含まれるトレーニング信号に基づいて、各ＳＴＡ１０４からＡＰ１０２への通信チャネルのバンド幅全体に対応するチャネル状態情報（例えば、利得、位相、ＳＮＲなど）を取得する。加えて、または、代わりに、ＡＰ１０２は、各ＳＴＡ１０４からＡＰ１０２への通信チャネルの１つまたは複数のサブバンドのそれぞれに対応する品質インジケータ（例えば、ＳＮＲ、ＳＮＩＲ、信号強度など）を決定する。ＡＰ１０２は、ＵＬ送信のために使われる各ＳＴＡ１０４のための１つまたは複数の候補サブバンドを更に識別する。
【００８８】
本開示の実施例４によれば、ＡＰ１０２は、各ＳＴＡ１０４からＡＰ１０２への通信チャネルのバンド幅全体に対応するチャネル状態情報および／または各ＳＴＡ１０４からＡＰ１０２への通信チャネルの１つまたは複数の候補サブバンドに対応する品質インジケータに基づいて、バンド幅全体および／または各ＳＴＡ１０４のための１つまたは複数の候補サブバンドのそれぞれのための送信方式の意図された使用を識別する。例えば、ＡＰ１０２は、バンド幅全体か各ＳＴＡ１０４のための各１つまたは複数の候補サブバンドがＵＬ  ＳＵ−ＭＩＭＯ送信か、ＵＬ  ＭＵ−ＭＩＭＯ送信か、その両方とものために使われなければならないかを決定する。
【００８９】
本開示の実施例４によれば、ＡＰ１０２は、バンド幅全体または候補サブバンドがＳＴＡによるＵＬ  ＳＵ−ＭＩＭＯ送信のためだけに使われなければならないと決定する場合には、実施例１と同様の方法で、バンド幅全体または候補サブバンド上のＵＬ  ＳＵ−ＭＩＭＯ送信に特有のＳＴＡのための送信ビームフォーミングマトリクスを展開する。
【００９０】
本開示の実施例４によれば、ＡＰ１０２は、バンド幅全体または候補サブバンドがＳＴＡのグループによるＵＬ  ＭＵ−ＭＩＭＯ送信のためだけに使われなければならないと決定する場合には、実施例１と同様の方法で、バンド幅全体または候補サブバンド上のＵＬ  ＭＵ−ＭＩＭＯ送信に特有のグループの各ＳＴＡのための送信ビームフォーミングマトリクスを展開する。
【００９１】
本開示の実施例４によれば、ＡＰ１０２は、バンド幅全体または候補サブバンドがＳＴＡによるＵＬ  ＳＵ−ＭＩＭＯ送信またはＳＴＡのグループによるＵＬ  ＭＵ−ＭＩＭＯ送信ために使われなければならないと決定する場合には、ＵＬ  ＳＵ−ＭＩＭＯ送信に特有のＳＴＡのための送信ビームフォーミングマトリクスおよびバンド幅全体または候補サブバンド上のＵＬ  ＭＵ−ＭＩＭＯ送信に特有のグループの各ＳＴＡのための送信ビームフォーミングマトリクスの両方を展開する。
【００９２】
ＡＰ１０２は、時間間隔８２６の間に、少なくともＳＴＡ１０４のいくつかのために取得される通信チャネルの、バンド幅全体に対応するチャネル状態情報および／または１つまたは複数のサブバンドに対応する品質インジケータに基づいて、ＵＬ  ＭＵ送信のためのＵＬグループに包含するためのＳＴＡを選択する。また、ＡＰ１０２は、それぞれの送信方式を指定し、それぞれの送信資源（例えば、ＵＬ  ＯＦＤＭＡに関するサブバンド）をＵＬグループのＳＴＡに割り当てる。
【００９３】
ＡＰ１０２は、時間間隔８２８の間に、ＤＬ  ＭＵ  ＰＰＤＵにおいて同時に、それぞれのフィードバックフレーム８０６をＵＬグループのＳＴＡ１０４に送信する。ＡＰ１０２はまた、それぞれのトリガフレーム８０８を同じＤＬ  ＭＵ  ＰＰＤＵのＵＬグループのＳＴＡ（例えば、この例ではＳＴＡ１０４−１および１０４−２）に送信する。この例では、ＡＰ１０２は、フィードバックフレーム８０６−１およびトリガフレーム８０８−１の集合、フィードバックフレーム８０６−２およびトリガフレーム８０８−２の集合およびフィードバックフレーム８０６−３を、ＳＴＡ１０４−１、１０４−２および１０４−３に、それぞれ、ＤＬ  ＭＵ  ＰＰＤＵにおいて送信する。ＤＬ  ＭＵ送信の各ＳＴＡ１０４のためのＡＰ１０２により用いられる送信ビームフォーミングマトリクスがＤＬ  ＭＵ送信のサウンディング手順を介して前もって取得されることに注意されたい。ＳＴＡ１０４は、それぞれの送信ビームフォーミングマトリクスをＵＬ  ＭＵ送信のためのそれぞれのフィードバックフレーム８０６のデータから直接取得する。
【００９４】
本開示の実施例４によれば、トリガフレーム８０８およびフィードバックフレーム８０６が同じＤＬ  ＭＵ  ＰＰＤＵのＵＬグループのＳＴＡに送信されるので、トリガフレーム７０８およびフィードバックフレーム７０６が別にＡＰ１０２によってＵＬグループのＳＴＡに送信される実施例３と比較して、チャネル効率が改善される。
【００９５】
本開示の実施例４によれば、各トリガフレーム８０８は、ＵＬグループの特定のＳＴＡが特定の時間にＡＰ１０２にデータを送信するようにさせる。各トリガフレーム８０８はまた、指定された送信方式および／またはＵＬグループの特定のＳＴＡのための割当送信資源に関する情報を含む。
【００９６】
本開示の実施例４によれば、特定のＳＴＡのためのフィードバックフレーム８０６は、（ｉ）特定のＳＴＡのための１つまたは複数の候補サブバンドの表示、（ｉｉ）特定のＳＴＡのための１つまたは複数の候補サブバンドのそれぞれに対応する送信方式の意図された使用、（ｉｉｉ）特定のＳＴＡのための１つまたは複数の候補サブバンドのそれぞれに対応する１つまたは複数の品質インジケータ、（ｉｖ）特定のＳＴＡのための１つまたは複数の候補サブバンドのそれぞれに対応するビームフォーミングフィードバック、（ｖ）特定のＳＴＡのためのバンド幅全体に対応する送信方式の意図された使用、（ｖｉ）特定のＳＴＡのためのバンド幅全体に対応する１つまたは複数の品質インジケータ、（ｖｉｉ）特定のＳＴＡのためのバンド幅全体に対応するビームフォーミングフィードバック、および（ｖｉｉｉ）電力制御情報（例えば必要電力調節量）などのうち、１つまたは複数を含む。
【００９７】
本開示の実施例４によれば、バンド幅全体または特定のＳＴＡのための候補サブバンドに対応するビームフォーミングフィードバックに含まれるものは、バンド幅全体または特定のＳＴＡのための候補サブバンドのための送信方式の意図された使用に依存する。バンド幅全体または候補サブバンドがＵＬ  ＳＵ−ＭＩＭＯ送信のためだけに使われなければならない場合、バンド幅全体または候補サブバンドに対応するビームフォーミングフィードバックは、ＵＬ  ＳＵ−ＭＩＭＯ送信に特有の送信ビームフォーミングマトリクスを表す。バンド幅全体または候補サブバンドがＵＬ  ＭＵ−ＭＩＭＯ送信のためだけに使われなければならない場合、バンド幅全体または候補サブバンドに対応するビームフォーミングフィードバックは、ＵＬ  ＭＵ−ＭＩＭＯ送信に特有の送信ビームフォーミングマトリクスを表す。バンド幅全体または候補サブバンドがＵＬ  ＳＵ−ＭＩＭＯまたはＵＬ  ＭＵ−ＭＩＭＯ送信のために使用されなければならない場合、バンド幅全体または候補サブバンドに対応するビームフォーミングフィードバックは、ＵＬ  ＳＵ−ＭＩＭＯ送信に特有の送信ビームフォーミングマトリクスおよびＵＬ  ＭＵ−ＭＩＭＯ送信に特有の送信ビームフォーミングマトリクスの両方を表す。
【００９８】
ＵＬグループのＳＴＡ（すなわち、この例ではＳＴＡ１０４−１および１０４−２）は、時間間隔８３２の間に、トリガフレーム８０８がＵＬ  ＭＵ−ＭＩＭＯ送信を起動する場合には、それぞれのデータ８１０をバンド幅全体上のＵＬ  ＭＵ−ＭＩＭＯ送信に特有のそれぞれの送信ビームフォーミングマトリクスを使用して、ＡＰ１０２にバンド幅全体上で同時に送信する。ＵＬグループのＳＴＡは、トリガフレーム８０８がＵＬ  ＯＦＤＭＡ送信を起動する場合には、それぞれのデータ８１０をそれぞれの送信ビームフォーミングマトリクスを使用して、ＡＰ１０２にそれぞれの割当サブバンド上で同時に送信する。これらの送信ビームフォーミングマトリクスは、それぞれの指定された送信方式およびそれぞれの割当サブバンドに従ってそれぞれのフィードバックフレーム８０６から生成され得る。例えば、ＳＴＡ１０４−１のための指定された送信方式がＵＬ  ＳＵ−ＭＩＭＯである場合、ＳＴＡ１０４−１のための割当サブバンド上のＵＬ  ＳＵ−ＭＩＭＯ送信に特有の送信ビームフォーミングマトリクスは、フィードバックフレーム８０６−１の対応するデータから直接生成される。
【００９９】
（実施例５）
図９は、本開示の実施例５による、サウンディング手順９００に基づいた例示サウンディング手順９００および例示ＵＬ  ＭＵ送信を示す概略タイミング図である。図９のサウンディング手順４００と同様に、サウンディング手順９００はまた、明示的なサウンディング手順である。
【０１００】
ＡＰ１０２は、時間間隔９２２の間に、サウンディングアナウンスメントフレーム９０２をＳＴＡ１０４に送信して、サウンディング手順９００を開始する。サウンディングアナウンスメントフレーム９０２は、ＳＴＡ１０４がそれぞれのサウンディングフレームを送信するときのタイミングを調整する情報を含む。例えば、サウンディングアナウンスメントフレーム９０２のペイロードは、サウンディングフレームを送信するために求められるＳＴＡ１０４の順序付けを示すことができる。
【０１０１】
ＳＴＡ１０４は、時間間隔９２４の間に、サウンディングアナウンスメントフレーム９０２を受信することに応答して、サウンディングアナウンスメントフレーム９０２に含まれるタイミング情報に従って、それぞれのサウンディングフレーム９０４をＡＰ１０２にシーケンシャルに送信する。この例では、ＳＴＡ１０４−１はサウンディングフレーム９０４−１をＡＰ１０２に送信する。その後、続けてＳＴＡ１０４−２およびＳＴＡ１０４−３がサウンディングフレーム９０４−１をＡＰ１０２に送信する。各サウンディングフレーム９０４は、適切なトレーニング信号をＰＨＹプリアンブル（例えば、ＨＥ−ＬＴＦフィールド）に含む。各サウンディングフレーム９０４は、ＰＨＹプリアンブル（例えば、ＨＥ−ＳＩＧ−Ａフィールド）にサウンディングフレーム（例えば、送信電力、電源調整範囲および／または電力ヘッドルーム）を送信するＳＴＡ１０４のためのＵＬ電力制御情報を含むこともできる。各サウンディングフレーム９０４は、ＮＤＰでもよい。ＡＰ１０２は、各サウンディングフレーム９０４に含まれるトレーニング情報に基づいて、各ＳＴＡ１０４からＡＰ１０２への通信チャネルのバンド幅全体に対応するチャネル状態情報（例えば、利得、位相、ＳＮＲなど）を取得する。加えて、または、代わりに、ＡＰ１０２は、各ＳＴＡ１０４からＡＰ１０２への通信チャネルの１つまたは複数のサブバンドのそれぞれに対応する品質インジケータ（例えば、ＳＮＲ、ＳＮＩＲ、信号強度など）を決定する。ＡＰ１０２は、ＵＬ送信のために使われる各ＳＴＡ１０４のための１つまたは複数の候補サブバンドを更に識別する。
【０１０２】
本開示の実施例５によれば、ＡＰ１０２は、各ＳＴＡ１０４からＡＰ１０２への通信チャネルのバンド幅全体に対応するチャネル状態情報および／または各ＳＴＡ１０４からＡＰ１０２への通信チャネルの１つまたは複数のサブバンドに対応する品質インジケータに基づいて、バンド幅全体および／または各ＳＴＡ１０４のための１つまたは複数の候補サブバンドのそれぞれのための送信方式の意図された使用を識別する。例えば、ＡＰ１０２は、バンド幅全体または各ＳＴＡ１０４のための１つまたは複数の候補サブバンドのそれぞれがＵＬ  ＳＵ−ＭＩＭＯ送信か、ＵＬ  ＭＵ−ＭＩＭＯ送信か、その両方とものために使われなければならないかを決定する。
【０１０３】
本開示の実施例５によれば、ＡＰ１０２は、ＳＴＡからＡＰ１０２への通信チャネルのバンド幅全体または候補サブバンドがＳＴＡによってＵＬ  ＳＵ−ＭＩＭＯ送信のためだけに使われなければならないと決定する場合には、実施例１と同様の方法で、バンド幅全体または候補サブバンド上のＵＬ  ＳＵ−ＭＩＭＯ送信に特有のＳＴＡのための送信ビームフォーミングマトリクスを算出する。
【０１０４】
本開示の実施例５によれば、ＡＰ１０２は、バンド幅全体または候補サブバンドがＳＴＡのグループによるＵＬ  ＭＵ−ＭＩＭＯ送信のためだけに使われなければならないと決定する場合には、実施例１と同様の方法で、バンド幅全体または候補サブバンド上のＵＬ  ＭＵ−ＭＩＭＯ送信に特有のグループの各ＳＴＡのための送信ビームフォーミングマトリクスを算出する。
【０１０５】
本開示の実施例５によれば、ＡＰ１０２は、バンド幅全体または候補サブバンドがＳＴＡによるＵＬ  ＳＵ−ＭＩＭＯ送信またはＳＴＡのグループによるＵＬ  ＭＵ−ＭＩＭＯ送信ために使われなければならないと決定する場合には、ＵＬ  ＳＵ−ＭＩＭＯ送信に特有のＳＴＡのための送信ビームフォーミングマトリクスおよびバンド幅全体または候補サブバンド上のＵＬ  ＭＵ−ＭＩＭＯ送信に特有のグループの各ＳＴＡのための送信ビームフォーミングマトリクスの両方を算出する。
【０１０６】
ＡＰ１０２は、時間間隔９２６の間に、少なくともＳＴＡ１０４のいくつかのために取得される通信チャネルの、バンド幅全体に対応するチャネル状態情報、１つまたは複数のサブバンドに対応する品質インジケータおよび／またはデータバッファ状態に基づいて、ＵＬ  ＭＵ送信のためのＵＬグループに包含するためのＳＴＡを選択する。また、ＡＰ１０２は、それぞれの送信方式を指定し、それぞれの送信資源（例えば、ＵＬ  ＯＦＤＭＡに関するサブバンド）をＵＬグループのＳＴＡに割り当てる。
【０１０７】
ＡＰ１０２は、時間間隔９２８の間に、ＤＬ  ＭＵ  ＰＰＤＵにおいて同時に、それぞれのフィードバックフレーム９０６をＵＬグループのＳＴＡ１０４に送信する。この例では、ＡＰ１０２は、フィードバックフレーム９０６−１、９０６−２および９０６−３をＳＴＡ１０４−１、１０４−２および１０４−３に、それぞれ、ＤＬ  ＭＵ  ＰＰＤＵにおいて送信する。ＤＬ  ＭＵ送信の各ＳＴＡ１０４のためのＡＰ１０２により用いられる送信ビームフォーミングマトリクスがＤＬ  ＭＵ送信のサウンディング手順を介して前もって取得されることに注意されたい。ＳＴＡ１０４は、それぞれの送信ビームフォーミングマトリクスをＵＬ  ＭＵ送信のためのそれぞれのフィードバックフレーム９０６のデータから直接取得する。
【０１０８】
本開示の実施例５によれば、特定のＳＴＡのためのフィードバックフレーム９０６は、（ｉ）特定のＳＴＡのための１つまたは複数の候補サブバンドの表示、（ｉｉ）特定のＳＴＡのための１つまたは複数の候補サブバンドのそれぞれに対応する送信方式の意図された使用、（ｉｉｉ）特定のＳＴＡのための１つまたは複数の候補サブバンドのそれぞれに対応する１つまたは複数の品質インジケータ、（ｉｖ）特定のＳＴＡのための１つまたは複数の候補サブバンドのそれぞれに対応するビームフォーミングフィードバック、（ｖ）特定のＳＴＡのためのバンド幅全体に対応する送信方式の意図された使用、（ｖｉ）特定のＳＴＡのためのバンド幅全体に対応する１つまたは複数の品質インジケータ、（ｖｉｉ）特定のＳＴＡのためのバンド幅全体に対応するビームフォーミングフィードバック、および（ｖｉｉｉ）電力制御情報（例えば必要電力調節量）などのうち、１つまたは複数を含む。
【０１０９】
本開示の実施例５によれば、ＵＬグループのＳＴＡのための各フィードバックフレーム（例えば、この例では９０６−１または９０６−２）は、ＵＬグループの特定のＳＴＡに、特定の時間にＡＰ１０２にデータを送信させ、指定された送信方式および／または割当送信資源をＵＬグループの特定のＳＴＡに知らせるための、トリガ情報を含む。
【０１１０】
本開示の実施例５によれば、別々のトリガフレームがＵＬグループのＳＴＡに送信されないので、別々のトリガフレーム８０８がＡＰ１０２によってＵＬグループのＳＴＡに送信される実施例４と比較して、チャネル効率が改善される。
【０１１１】
本開示の実施例５によれば、バンド幅全体または特定のＳＴＡのための候補サブバンドに対応するビームフォーミングフィードバックに含まれるものは、バンド幅全体または特定のＳＴＡのための候補サブバンドのための送信方式の意図された使用に依存する。バンド幅全体または候補サブバンドがＵＬ  ＳＵ−ＭＩＭＯ送信のためだけに使われなければならない場合、バンド幅全体または候補サブバンドに対応するビームフォーミングフィードバックは、ＵＬ  ＳＵ−ＭＩＭＯ送信に特有の送信ビームフォーミングマトリクスを表す。バンド幅全体または候補サブバンドがＵＬ  ＭＵ−ＭＩＭＯ送信のためだけに使われなければならない場合、バンド幅全体または候補サブバンドに対応するビームフォーミングフィードバックは、ＵＬ  ＭＵ−ＭＩＭＯ送信に特有の送信ビームフォーミングマトリクスを表す。バンド幅全体または候補サブバンドがＵＬ  ＳＵ−ＭＩＭＯまたはＵＬ  ＭＵ−ＭＩＭＯ送信のために使われなければならない場合、バンド幅全体または候補サブバンドに対応するビームフォーミングフィードバックは、ＵＬ  ＳＵ−ＭＩＭＯ送信に特有の送信ビームフォーミングマトリクスおよびＵＬ  ＭＵ−ＭＩＭＯ送信に特有の送信ビームフォーミングマトリクスの両方を表す。
【０１１２】
ＵＬグループのＳＴＡ（すなわち、この例ではＳＴＡ１０４−１および１０４−２）は、時間間隔９３２の間に、フィードバックフレーム９０６に含まれるトリガ情報がＵＬ  ＭＵ−ＭＩＭＯ送信を起動する場合、それぞれのデータ９１０をバンド幅全体上のＵＬ  ＭＵ−ＭＩＭＯ送信に特有のそれぞれの送信ビームフォーミングマトリクスを使用して、ＡＰ１０２にバンド幅全体上で同時に送信する。ＵＬグループのＳＴＡは、フィードバックフレーム９０６に含まれるトリガ情報がＵＬ  ＯＦＤＭＡ送信を起動する場合、それぞれの指定された送信方式およびそれぞれの割当サブバンドに従ってそれぞれのフィードバックフレーム９０６から生成され得るそれぞれの送信ビームフォーミングマトリクスを用いて、ＡＰ１０２にそれぞれの割当サブバンド上で同時にそれぞれのデータ９１０を送信する。例えば、ＳＴＡ１０４−１のための指定された送信方式がＵＬ  ＳＵ−ＭＩＭＯである場合、ＳＴＡ１０４−１のための割当サブバンド上のＵＬ  ＳＵ−ＭＩＭＯ送信に特有の送信ビームフォーミングマトリクスは、フィードバックフレーム９０６−１の対応するデータから直接生成される。
【０１１３】
（実施例６）
図１０は、本開示の実施例６による、例示サウンディング手順１０００およびサウンディング手順１０００に基づいた例示のカスケードされたＤＬおよびＵＬ  ＭＵ送信を示す概略タイミング図である。明示的なＵＬサウンディングだけに対処する最初の５つの実施例とは異なり、サウンディング手順１０００は、明示的なＤＬサウンディングおよび明示的なＵＬサウンディングが効率的な方法で共同して実行される、明示的な双方向性サウンディング手順である。
【０１１４】
時間間隔１０２２の間に、ＡＰ１０２はサウンディングアナウンスメントフレーム１００２をＳＴＡ１０４に送信して、サウンディング手順１０００を開始する。サウンディングアナウンスメントフレーム１００２は、サウンディング手順１０００の意図された参加者であるＳＴＡ１０４を識別する情報を含む。例えば、サウンディングアナウンスメントフレーム１００２は、意図された参加者として識別される各ＳＴＡ１０４に対応する関連識別子（ＡＩＤ）の少なくとも一部などの、適切な識別子を含むことによって、ＳＴＡ１０４を識別する。
【０１１５】
ＡＰ１０２は、時間間隔１０２４の間に、明示的なＤＬサウンディングの一部として、適切なトレーニング信号をＰＨＹプリアンブル（例えば、ＨＥ−ＬＴＦフィールド）に含む、ＮＤＰであってもよい、サウンディングフレーム１００４を送信する。サウンディングアナウンスメントフレーム１００２によって識別される各ＳＴＡ１０４は、サウンディングフレーム１００４に含まれるトレーニング信号に基づいて、ＡＰ１０２およびＳＴＡ１０４からの通信チャネルのバンド幅全体に対応するＤＬチャネル状態情報（例えば、利得、位相およびＳＮＲなど）を取得する。加えて、または、代わりに、各ＳＴＡ１０４は、ＡＰ１０２およびＳＴＡ１０４からの通信チャネルの１つまたは複数のサブバンドのそれぞれに対応するＤＬ品質インジケータ（例えば、ＳＮＲ、ＳＮＩＲ、信号強度など）を決定する。ＳＴＡ１０４は、１つまたは複数の好適なサブバンドを更に識別して、ＤＬ送信のための識別された好適なサブバンドの優先の順序を決定する。
【０１１６】
サウンディングアナウンスメントフレーム１００２において最初に識別されるＳＴＡ１０４−１は、時間間隔１０２６の間に、明示的なＤＬサウンディングの一部として、そのフィードバックフレーム１００６−１を送信する。ＡＰ１０２は、ＳＴＡ１０４−１からフィードバックフレーム１００６−１を受信し、そしてそれに続いてそれぞれのフィードバックポールフレーム１００８を、サウンディング手順１０００の参加者としてサウンディングアナウンスメントフレーム１００２によって識別される残りのＳＴＡ１０４のそれぞれに送信する。残りのＳＴＡ１０４のそれぞれは、それに応じてそのフィードバックフレーム１００６を送信する。
【０１１７】
特定のＳＴＡからのフィードバックフレーム１００６は、（ｉ）特定のＳＴＡによって識別される１つまたは複数の好適なサブバンドの表示、（ｉｉ）特定のＳＴＡによって識別される１つまたは複数の好適なサブバンドの優先の順序の表示、（ｉｉｉ）特定のＳＴＡによって識別される１つまたは複数の好適なサブバンドのそれぞれに対応する１つまたは複数のＤＬ品質インジケータ、（ｉｖ）特定のＳＴＡによって識別される１つまたは複数の好適なサブバンドのそれぞれに対応するＤＬビームフォーミングフィードバック、（ｖ）ＡＰ１０２と特定のＳＴＡの間の通信チャネルのバンド幅全体に対応するＤＬチャネル状態情報、（ｖｉ）ＡＰ１０２から特定のＳＴＡへの通信チャネルのバンド幅全体に対応する１つまたは複数のＤＬ品質インジケータ、および（ｖｉｉ）ＡＰ１０２から特定のＳＴＡへの通信チャネルのバンド幅全体に対応するＤＬビームフォーミングフィードバックなどのうち、１つまたは複数を含む。ビームフォーミングフィードバックは、ＩＥＥＥ  ８０２．１１ａｃ標準において定められるものと同様の圧縮ビームフォーミングフィードバックでもよい。あるいは、ビームフォーミングフィードバックは、圧縮されていないビームフォーミングフィードバックなどの別の適切な形のビームフォーミングフィードバックでもよい。
【０１１８】
本開示の実施例６によれば、明示的なＤＬサウンディングのためのフィードバックフレーム１００６は、明示的なＵＬサウンディングのためのサウンディングフレームとしても機能する。言い換えれば、フィードバックフレーム１００６のデータ部を復調するための受信機により用いられるＰＨＹプリアンブル（例えば、ＨＥ−ＬＴＦフィールド）に含まれるトレーニング信号に加えて、フィードバックフレーム１００６は、ＵＬサウンディングのための付加的な参照を提供するために適切な付加的なトレーニング信号をＰＨＹプリアンブル（例えば、ＨＥ−ＬＴＦフィールドの直後に新しいフィールド）に含むことを必要とする。それによって、受信機がフィードバックフレーム１００６のデータ部によって使われるものを越えてチャネルの付加的なディメンションの評価を形成することができる。また、各フィードバックフレーム１００６は、ＰＨＹプリアンブル（例えば、ＨＥ−ＳＩＧ−Ａフィールド）のフィードバックフレーム（例えば、送信電力、電力調整範囲および／または電力ヘッドルーム）を送信するＳＴＡのためのＵＬ電力制御情報を含むことができる。
【０１１９】
ＡＰ１０２は、時間間隔１０２６の間にＡＰ１０２によって受信されるフィードバックフレーム１００６に基づいて、ＡＰ１０２から各ＳＴＡ１０４への通信チャネルのバンド幅全体および／または１つまたは複数のサブバンドに対応する、１つまたは複数のＤＬ品質インジケータおよびＤＬ送信ビームフォーミングマトリクスを取得する。例えば、ＡＰ１０２は、特定のＳＴＡ１０４のための１つまたは複数のＤＬ品質インジケータおよび／または送信ビームフォーミングマトリクスを、特定のＳＴＡ１０４から受信されるフィードバックフレーム１００６から直接取得する。あるいは、ＡＰ１０２は、特定のＳＴＡ１０４から受信されるフィードバックフレーム１００６に含まれるデータに基づいて、例えば特定のＳＴＡ１０４から受信されるフィードバックフレーム１００６に含まれるＤＬチャネル状態情報に基づいて、特定のＳＴＡ１０４のための１つまたは複数のＤＬ品質インジケータおよび／または送信ビームフォーミングマトリクスを決定する。
【０１２０】
一方で、ＡＰ１０２は、トレーニング信号および各フィードバックフレーム１００６に含まれる付加的なトレーニング信号に基づいて、各ＳＴＡ１０４からＡＰ１０２への通信チャネルのバンド幅全体に対応するＵＬチャネル状態情報（例えば、利得、位相、ＳＮＲなど）を取得する。加えて、または、代わりに、ＡＰ１０２は、各ＳＴＡ１０４からＡＰ１０２への通信チャネルの１つまたは複数のサブバンドのそれぞれに対応するＵＬ品質インジケータ（例えば、ＳＮＲ、ＳＮＩＲ、信号強度など）を決定する。ＡＰ１０２は、ＵＬ送信のために使われる各ＳＴＡ１０４のための１つまたは複数の候補サブバンドを更に識別する。
【０１２１】
本開示の実施例６によれば、ＡＰ１０２は、各ＳＴＡ１０４からＡＰ１０２への通信チャネルのバンド幅全体に対応するＵＬチャネル状態情報および／または各ＳＴＡ１０４からＡＰ１０２への通信チャネルの１つまたは複数の候補サブバンドに対応するＵＬ品質インジケータに基づいて、バンド幅全体および／または各ＳＴＡ１０４のための１つまたは複数の候補サブバンドのそれぞれための送信方式の、意図された使用を識別する。例えば、ＡＰ１０２は、バンド幅全体か各ＳＴＡ１０４のための１つまたは複数の候補サブバンドのそれぞれが、ＵＬ  ＳＵ−ＭＩＭＯ送信か、ＵＬ  ＭＵ−ＭＩＭＯ送信か、その両方とものために使われなければならないかを決定する。
【０１２２】
本開示の実施例６によれば、ＡＰ１０２は、バンド幅全体または候補サブバンドがＳＴＡによるＵＬ  ＳＵ−ＭＩＭＯ送信のためだけに使われなければならないと決定する場合には、実施例１と同様の方法で、バンド幅全体または候補サブバンド上のＵＬ  ＳＵ−ＭＩＭＯ送信に特有のＳＴＡのためのＵＬ送信ビームフォーミングマトリクスを展開する。
【０１２３】
本開示の実施例６によれば、ＡＰ１０２は、バンド幅全体または候補サブバンドがＳＴＡのグループによるＵＬ  ＭＵ−ＭＩＭＯ送信のためだけに使われなければならないと決定する場合には、実施例１と同様の方法で、バンド幅全体または候補サブバンド上のＵＬ  ＭＵ−ＭＩＭＯ送信に特有のグループの各ＳＴＡのための送信ビームフォーミングマトリクスを展開する。
【０１２４】
本開示の実施例６によれば、ＡＰ１０２は、バンド幅全体または候補サブバンドがＳＴＡによるＵＬ  ＳＵ−ＭＩＭＯ送信またはＳＴＡのグループによるＵＬ  ＭＵ−ＭＩＭＯ送信のために使われなければならないと決定する場合には、ＵＬ  ＳＵ−ＭＩＭＯ送信に特有のＳＴＡのためのＵＬ送信ビームフォーミングマトリクスおよびバンド幅全体または候補サブバンド上のＵＬ  ＭＵ−ＭＩＭＯ送信に特有のグループの各ＳＴＡのためのＵＬ送信ビームフォーミングマトリクスの両方を展開する。
【０１２５】
ＡＰ１０２は、時間間隔１０２８の間に、少なくともＳＴＡ１０４のいくつかのために明示的なＤＬサウンディング中に取得される通信チャネルの１つまたは複数のサブバンドに対応するバンド幅全体および／またはＤＬ品質インジケータに対応するＤＬチャネル状態情報に基づいて、ＤＬ  ＭＵ送信のためのＤＬグループに包含するためのＳＴＡを選択する。また、ＡＰ１０２は、それぞれの送信方式を指定して、ＤＬグループのＳＴＡを含むＳＴＡ１０４に、それぞれの送信資源（例えば、ＤＬ  ＯＦＤＭＡに関するサブバンド）を割り当てる。一方で、ＡＰ１０２は、少なくともＳＴＡ１０４のいくつかのために明示的なＵＬサウンディング中に取得されるＵＬ通信チャネルの１つまたは複数のサブバンドに対応するバンド幅全体および／またはＵＬ品質インジケータに対応するＵＬチャネル状態情報に基づいて、ＵＬ  ＭＵ送信のためのＵＬグループに包含するためのＳＴＡを選択する。また、ＡＰ１０２は、それぞれの送信方式を指定して、それぞれの送信資源（例えば、ＵＬ  ＯＦＤＭＡに関するサブバンド）をＵＬグループのＳＴＡに割り当てる。
【０１２６】
ＡＰ１０２は、時間間隔１０３０の間に、それぞれの指定された送信方式に従ってフィードバックフレーム１００６から生成され得るそれぞれの送信ビームフォーミングマトリクスを用いてＤＬ  ＭＵ  ＰＰＤＵを介して、それぞれの送信資源で同時に、それぞれのフィードバックフレーム１０１０をＳＴＡ１０４に送信する。例えば、ＳＴＡのために指定された送信方式がＤＬ  ＳＵ−ＭＩＭＯである場合、ＳＴＡのための割当サブバンド上のＤＬ  ＳＵ−ＭＩＭＯ送信に特有の送信ビームフォーミングマトリクスは、フィードバックフレーム１００６の対応するデータから直接または間接的に生成される。ＤＬ  ＭＵ  ＰＰＤＵは、指定された送信方式および／または各ＳＴＡ１０４のための割当送信資源に関する情報をＰＨＹプリアンブル（例えば、ＨＥ−ＳＩＧ−Ｂフィールド）に含む。また、ＡＰ１０２は、それぞれのデータ１０１２をＤＬグループのＳＴＡ１０４（例えば、この例ではＳＴＡ１０４−１および１０４−３）に送信し、それぞれのトリガフレーム１０１４を同じＤＬ  ＭＵ  ＰＰＤＵのＵＬグループのＳＴＡ（例えば、この例ではＳＴＡ１０４−１および１０４−２）に送信する。この例では、ＡＰ１０２は、フィードバックフレーム１０１０−１、データ１０１２−１およびトリガフレーム１０１４−１の集合と、フィードバックフレーム１０１０−２およびトリガフレーム１０１４−２の集合と、フィードバックフレーム１０１０−３およびデータ１０１２−３の集合とを、ＳＴＡ１０４−１、１０４−２および１０４−３にそれぞれ、ＤＬ  ＭＵ  ＰＰＤＵで送信する。ＳＴＡ１０４は、ＵＬ  ＭＵ送信のためのそれぞれの送信ビームフォーミングマトリクスを、受信したそれぞれのフィードバックフレーム１０１０のデータから直接取得する。
【０１２７】
本開示の実施例６によれば、特定のＳＴＡのためのフィードバックフレーム１０１０は、（ｉ）特定のＳＴＡのための１つまたは複数の候補サブバンドの表示、（ｉｉ）特定のＳＴＡのための１つまたは複数の候補サブバンドのそれぞれに対応する送信方式の意図された使用、（ｉｉｉ）特定のＳＴＡのための１つまたは複数の候補サブバンドのそれぞれに対応する１つまたは複数の品質インジケータ、（ｉｖ）特定のＳＴＡのための１つまたは複数の候補サブバンドのそれぞれに対応するビームフォーミングフィードバック、（ｖ）特定のＳＴＡのためのバンド幅全体に対応する送信方式の意図された使用、（ｖｉ）特定のＳＴＡのためのバンド幅全体に対応する１つまたは複数の品質インジケータ、（ｖｉｉ）特定のＳＴＡのためのバンド幅全体に対応するビームフォーミングフィードバック、および（ｖｉｉｉ）電力制御情報（例えば必要電力調節量）などのうち、１つまたは複数を含む。
【０１２８】
本開示の実施例６によれば、バンド幅全体または特定のＳＴＡのための候補サブバンドに対応するビームフォーミングフィードバックに含まれるものは、バンド幅全体または特定のＳＴＡのための候補サブバンドのための送信方式の意図された使用に依存する。バンド幅全体または候補サブバンドがＵＬ  ＳＵ−ＭＩＭＯ送信のためだけに使われる予定である場合、バンド幅全体または候補サブバンドに対応するビームフォーミングフィードバックは、ＵＬ  ＳＵ−ＭＩＭＯ送信に特有の送信ビームフォーミングマトリクスを表す。バンド幅全体または候補サブバンドがＵＬ  ＭＵ−ＭＩＭＯ送信のためだけに使われる予定である場合、バンド幅全体または候補サブバンドに対応するビームフォーミングフィードバックは、ＵＬ  ＭＵ−ＭＩＭＯ送信に特有の送信ビームフォーミングマトリクスを表す。バンド幅全体または候補サブバンドがＵＬ  ＳＵ−ＭＩＭＯまたはＵＬ  ＭＵ−ＭＩＭＯ送信のために使われる予定である場合、バンド幅全体または候補サブバンドに対応するビームフォーミングフィードバックは、ＵＬ  ＳＵ−ＭＩＭＯ送信に特有の送信ビームフォーミングマトリクスおよびＵＬ  ＭＵ−ＭＩＭＯ送信に特有の送信ビームフォーミングマトリクスの両方を表す。
【０１２９】
本開示の実施例６によれば、各トリガフレーム１０１４は、ＵＬグループの特定のＳＴＡに特定の時間にＡＰ１０２にデータを送信させる。また、各トリガフレーム１０１４は、ＵＬグループの特定のＳＴＡのための指定された送信方式および／または割当送信資源に関する情報を含む。
【０１３０】
ＵＬグループのＳＴＡ（すなわち、この例ではＳＴＡ１０４−１および１０４−２）は、時間間隔１０３２の間に、トリガフレーム１０１４がＵＬ  ＭＵ−ＭＩＭＯ送信を起動する場合には、バンド幅全体上のＵＬ  ＭＵ−ＭＩＭＯ送信に特有のそれぞれの送信ビームフォーミングマトリクスを使用して、バンド幅全体上でＡＰ１０２にそれぞれのデータ１０１６を同時に送信する。ＵＬグループのＳＴＡは、トリガフレーム１０１４がＵＬ  ＯＦＤＭＡ送信を起動する場合、それぞれの指定された送信方式およびそれぞれの割当サブバンドに従ってそれぞれのフィードバックフレーム１０１０から直接生成され得るそれぞれの送信ビームフォーミングマトリクスを使用して、それぞれの割当サブバンド上のＡＰ１０２にそれぞれのデータ１０１６を同時に送信する。例えば、ＳＴＡ１０４−１のための指定された送信方式がＵＬ  ＳＵ−ＭＩＭＯである場合、ＳＴＡ１０４−１のための割当サブバンド上のＵＬ  ＳＵ−ＭＩＭＯ送信に特有の送信ビームフォーミングマトリクスは、フィードバックフレーム１０１０−１の対応するデータから直接生成される。
【０１３１】
本開示の実施例６によれば、サウンディング手順１０００は明示的なＤＬサウンディングから開始され、そして、明示的なＵＬサウンディングが続く。明示的なＤＬサウンディングの間にＳＴＡ１０４によってＡＰ１０２に送信されるフィードバックフレーム１００６は、明示的なＵＬサウンディングのためのサウンディングフレームとしても機能する。専用のサウンディングフレームが明示的なＵＬサウンディングのために必要とされないので、明示的な双方向性サウンディングとしてのサウンディング手順１０００は、明示的なＤＬサウンディングおよび明示的なＵＬサウンディングが別々に実行されるサウンディング手順よりも良好なチャネル効率を有する。
【０１３２】
本開示によれば、ＷＬＡＮ１００は、システムの柔軟性を増加させるために複数のサウンディング手順をサポートすることができる。例えば、ＷＬＡＮ１００は、ＤＬサウンディング手順、ＵＬサウンディング手順および双方向性サウンディング手順という３種類のサウンディング手順をサポートすることができる。その結果、サウンディング手順を開始するＳＴＡ１０４にＡＰ１０２によって送信されるサウンディングアナウンスメントフレームは、サウンディング手順のタイプを示す情報を含むことができる。図４、図６、図７、図８または図９の例において、サウンディングアナウンスメントフレーム４０２、６０２、７０２、８０２または９０２は、サウンディング手順４００、６００、７００、８００または９００がＵＬサウンディング手順であることを示すための情報を含むことができる。図１０の例において、サウンディングアナウンスメントフレーム１００２は、サウンディング手順１０００が双方向性サウンディング手順であることを示すための情報を含むことができる。
【０１３３】
＜無線通信方法＞
図１１は、本開示による、ＵＬ  ＭＵ送信のために複数の第２の通信装置とサウンディングを実行するための、第１の通信装置によって行う第１の例示方法１１００を示すフローチャートである。単に説明的な目的だけのために、方法１１００は、図４、図６、図７、図８および図９に関して述べられて、ＡＰとしての第１の通信装置およびＳＴＡとしての第２の通信装置の関連で記載されている。しかしながら、第１の通信装置は、ＡＰ以外の、ピアツーピアネットワークのノードなどの適切な通信装置でもよく、一方で第２の通信装置は、ＳＴＡ以外の、ピアツーピアネットワークのノードなどの適切な通信装置でもよい。
【０１３４】
ステップ１１０２で、ＡＰは、複数のＳＴＡの各ＳＴＡに対して、ＳＴＡと関連したＯＦＤＭ通信チャネルのバンド幅全体および／または１つまたは複数のサブバンドのそれぞれに対応するチャネル状態情報および１つまたは複数の品質インジケータを取得する。ステップ１１０２は、１つまたは複数のサウンディングアナウンスメントフレームを複数のＳＴＡに送信することと、複数のＳＴＡの各ＳＴＡからサウンディングフレームを受信することと、ＳＴＡから受信されるサウンディングフレームに基づいてバンド幅全体および／または複数のＳＴＡの各ＳＴＡのための１つまたは複数のサブバンドのそれぞれに対応するチャネル状態情報および１つまたは複数の品質インジケータを取得することとを含む。図４または図６の例において、ＡＰ１０２は、それぞれのサウンディングアナウンスメントフレーム４０２または６０２を送信して、ＳＴＡ１０４−１、１０４−２および１０４−３にそれぞれ、それぞれのサウンディングフレーム４０４または６０４を送信することを要求する。図７、図８または図９の例において、ＡＰ１０２は、単一のサウンディングアナウンスメントフレーム７０２、８０２または９０２を送信して、ＳＴＡ１０４−１、１０４−２および１０４−３にそれぞれのサウンディングフレーム７０４、８０４または９０４を送信することを要求する。
【０１３５】
ステップ１１０４で、ＡＰは、複数のＳＴＡの各ＳＴＡに対して取得される品質インジケータに基づいて、ＳＴＡのための１つまたは複数の候補サブバンドを識別する。
【０１３６】
ステップ１１０６で、ＡＰは、複数のＳＴＡのために取得されるチャネル状態情報および品質インジケータに基づいて、バンド幅全体および／または複数のＳＴＡの各ＳＴＡのための１つまたは複数の候補サブバンドのそれぞれに対応する送信ビームフォーミングマトリクスを展開する。ステップ１１０６は、複数のＳＴＡのために取得される品質インジケータに基づいて、バンド幅全体および／または複数のＳＴＡの各ＳＴＡのための１つまたは複数の候補サブバンドのそれぞれのための送信方式を識別することと、複数のＳＴＡのために取得されるチャネル状態情報および品質インジケータに基づいて、バンド幅全体および／または複数のＳＴＡの各ＳＴＡのための送信方式のそれぞれの意図された使用により決まる１つまたは複数の候補サブバンドのそれぞれための、送信ビームフォーミングマトリクスを展開することとを含む。また、ステップ１１０６は、複数のＳＴＡの各ＳＴＡのための必要電力調節量を算出することを含むことができる。
【０１３７】
方法１１００によれば、候補サブバンドまたはバンド幅全体がＵＬ  ＳＵ−ＭＩＭＯ送信のためだけに使われる予定である場合、ＳＵ−ＭＩＭＯ送信に特有の送信ビームフォーミングマトリクスは候補サブバンドまたはバンド幅全体に対して展開される。候補サブバンドまたはバンド幅全体がＵＬ  ＭＵ−ＭＩＭＯ送信のためだけに使われる予定である場合、ＭＵ−ＭＩＭＯ送信に特有の送信ビームフォーミングマトリクスは、候補サブバンドまたはバンド幅全体に対して展開される。候補サブバンドまたはバンド幅全体がＵＬ  ＳＵ−ＭＩＭＯまたはＭＵ−ＭＩＭＯ通信のために使われる予定である場合、ＳＵ−ＭＩＭＯ送信に特有の送信ビームフォーミングマトリクスおよびＭＵ−ＭＩＭＯ送信に特有の送信ビームフォーミングマトリクスは、候補サブバンドまたはバンド幅全体に対して展開される。
【０１３８】
ステップ１１０８で、ＡＰは、複数のＳＴＡの少なくともいくつかに対して取得される品質インジケータに基づいて、ＵＬ  ＭＵ通信のためのＵＬグループに包含するためのＳＴＡのグループを選択して、それぞれのフィードバック情報を、複数のＳＴＡに、かつ、それぞれのトリガ情報をＵＬグループのＳＴＡに送信する。グループは、複数のＳＴＡの２つ以上のＳＴＡを含む。図４、図６、図７、図８または図９の例において、ＡＰ１０２は、ＵＬグループに包含するためのＳＴＡ１０４−１および１０４−２を選択する。フィードバック情報は、図５に関して上で記載されている。ＵＬグループのＳＴＡのためのトリガ情報は、ＳＴＡに特定の時間に同時にＵＬグループの他のＳＴＡを有するＡＰに送信させる。ＵＬグループのＳＴＡのためのトリガ情報は、指定された送信方式および／または割当送信資源に関する情報を含む。
【０１３９】
方法１１００によれば、一実施例において、各ＳＴＡのためのフィードバック情報は、ＳＴＡ宛てに送られるフィードバックフレームに含まれ、ＵＬグループの各ＳＴＡのためのトリガ情報は、ＳＴＡ宛てに送られるフィードバックフレームに含まれる。フィードバックフレームは、ＤＬ  ＭＵ  ＰＰＤＵを介して同時に、ＡＰによって複数のＳＴＡに送信される。図９の例において、ＡＰ１０２は、ＳＴＡ１０４−１のためのフィードバック情報およびトリガ情報を含むフィードバックフレーム９０６−１、ＳＴＡ１０４−２のためのフィードバック情報およびトリガ情報を含むフィードバックフレーム９０６−２およびＳＴＡ１０４−３のためのフィードバック情報およびトリガ情報を含むフィードバックフレーム９０６−３を、同時に送信する。
【０１４０】
方法１１００によれば、一実施例において、各ＳＴＡのためのフィードバック情報は、ＳＴＡ宛てに送られるフィードバックフレームに含まれ、ＵＬグループのＳＴＡのためのトリガ情報は、トリガフレームに含まれる。フィードバックフレームは、ＵＬグループのＳＴＡへのトリガフレームの送信の前に、ＤＬ  ＭＵ  ＰＰＤＵを介して、ＡＰによって複数のＳＴＡに同時に送信される。図４の例において、ＡＰ１０２は、シーケンシャルにフィードバックフレーム４０６をＳＴＡ１０４に送信する。図６または図７の例において、ＡＰ１０２は、フィードバックフレーム６０６または７０６をＳＴＡ１０４に同時に送信する。その後、ＡＰ１０２は、トリガフレーム４０８、６０８または７０８をＵＬグループのＳＴＡに送信する。
【０１４１】
方法１１００によれば、一実施例において、各ＳＴＡのためのフィードバック情報は、ＳＴＡ宛てに送られるフィードバックフレームに含まれ、ＵＬグループの各ＳＴＡのためのトリガ情報はＳＴＡ宛てに送られるトリガフレームに含まれる。ＵＬグループの各ＳＴＡ宛てに送られるフィードバックフレームおよびトリガフレームの集合と、ＵＬグループではない複数のＳＴＡのそれぞれ宛てに送られるフィードバックフレームは、ＤＬ  ＭＵ  ＰＰＤＵを介して、複数のＳＴＡに同時に送信される。図８の例において、ＡＰ１０２は、フィードバックフレーム８０６−１およびトリガフレーム８０８−１の集合をＳＴＡ１０４−１に、フィードバックフレーム８０６−２およびトリガフレーム８０８−２の集合ＳＴＡ１０４−２に、かつフィードバックフレーム８０６−３をＳＴＡ１０４−３に、同時に送信する。
【０１４２】
ステップ１１１０で、ＡＰは、ステップ１１０８で送信されるトリガ情報に応答して、ＵＬグループのＳＴＡから、同時送信を受信する。ステップ１１１０で受信される同時送信は、ステップ１１０８でＵＬグループのＳＴＡにＡＰによって送信されるフィードバック情報中に含まれるデータから直接生成される、送信ビームフォーミングマトリクスを用いてＵＬグループのＳＴＡによって送信されたものである。図１２は、本開示による、ＵＬ  ＭＵ送信のための第１の通信装置とのサウンディングを実行するために、複数の第２の通信装置の１つによって行う、第１の例示方法１２００を示すフローチャートである。単に説明的な目的だけのために、方法１２００は、図４、図６、図７、図８および図９に関して述べられて、ＡＰとしての第１の通信装置およびＳＴＡとしての第２の通信装置の関連で記載されている。しかしながら、第１の通信装置は、ＡＰ以外の、ピアツーピアネットワークのノードなどの適切な通信装置でもよく、一方で第２の通信装置は、ＳＴＡ以外の、ピアツーピアネットワークのノードなどの適切な通信装置でもよい。
【０１４３】
ステップ１２０２で、ＳＴＡはサウンディングフレームをＡＰに送信する。ステップ１２０２は、ＡＰからサウンディングアナウンスメントフレームを受信することと、受信したサウンディングアナウンスメントフレームに応答して、サウンディングフレームをＡＰに送信することとを含む。例えば、図４、図６、図７、図８または図９の例で、ＳＴＡ１０４−１は、サウンディングアナウンスメントフレーム４０２−１、６０２−１、７０２、８０２または９０２を受信することに応答して、サウンディングフレーム４０４−１、６０４−１、７０４−１、８０４−１または９０４−１をＡＰ１０２に送信する。
【０１４４】
ステップ１２０４で、ＳＴＡはＡＰからフィードバック情報およびトリガ情報を受信する。フィードバック情報は、図５に関して上で記載されている。ＳＴＡのためのトリガ情報は、ＳＴＡに特定の時間に１つまたは複数の他のＳＴＡを有するＡＰに同時に送信させる。ＳＴＡのためのトリガ情報はまた、指定された送信方式および／または割当送信資源に関する情報を含む。
【０１４５】
方法１２００によれば、一実施例において、ＳＴＡのためのフィードバック情報は、ＳＴＡのためのトリガ情報も含むＳＴＡ宛てに送られるフィードバックフレームに含まれる。ＳＴＡは、フィードバック情報およびトリガ情報を同時に受信する。図９の例において、ＳＴＡ１０４−１は、フィードバック情報およびトリガ情報を含むフィードバックフレーム９０６−１を受信する。
【０１４６】
方法１２００によれば、一実施例において、ＳＴＡのためのフィードバック情報はＳＴＡ宛てに送られるフィードバックフレームに含まれ、ＳＴＡのためのトリガ情報はＳＴＡ宛てに送られるトリガフレームに、含まれる。フィードバックフレームおよびトリガフレームは、ＳＴＡによって別々に受信される。図４、図６または図７の例において、フィードバックフレーム４０６−１、６０６−１または７０６−１は、トリガフレーム４０８、６０８または７０８の前にＳＴＡ１０４−１によって受信される。あるいは、フィードバックフレームおよびトリガフレームの集合は、ＳＴＡによって受信される。図８の例において、ＳＴＡ１０４−１は、フィードバックフレーム８０６−１およびトリガフレーム８０８−１の集合を受信する。
【０１４７】
ステップ１２０６で、ＳＴＡは、受信フィードバック情報およびトリガ情報に基づいて、ＵＬ  ＭＵ送信のための送信ビームフォーミングマトリクスを生成する。ステップ１２０６は、受信トリガ情報に基づいて、指定された送信方式および割当送信資源を識別することと、指定された送信方式および割当送信資源に基づいて、ＵＬ  ＭＵ送信のための送信ビームフォーミングマトリクスを受信フィードバック情報の対応するデータから直接生成することとを含む。
【０１４８】
方法１２００によれば、受信トリガ情報がバンド幅全体上のＵＬ  ＭＵ−ＭＩＭＯ送信を示す場合、バンド幅全体上のＵＬ  ＭＵ−ＭＩＭＯ送信に特有の送信ビームフォーミングマトリクスは受信フィードバック情報の対応するデータから直接生成される。受信トリガ情報が割当サブバンド上のＵＬ  ＭＵ−ＭＩＭＯ送信を示す場合、割当サブバンド上のＵＬ  ＭＵ−ＭＩＭＯ送信に特有の送信ビームフォーミングマトリクスは受信フィードバック情報の対応するデータから直接生成される。受信トリガ情報が割当サブバンド上のＵＬ  ＳＵ−ＭＩＭＯ送信を示す場合、割当サブバンド上のＵＬ  ＳＵ−ＭＩＭＯ送信に特有の送信ビームフォーミングマトリクスは受信フィードバック情報の対応するデータから直接生成される。
【０１４９】
ステップ１２０８で、ＳＴＡは、トリガ情報に応答して、割当送信資源のデータをステップ１２０６で生成される送信ビームフォーミングマトリクスを用いて、ＡＰに従って１つまたは複数の他のＳＴＡと同時に送信する。
【０１５０】
図１３は、本開示による、カスケードされたＤＬおよびＵＬ  ＭＵ送信のための複数の第２の通信装置とのサウンディングを実行するために第１の通信装置によって行う、第２の例示方法１３００を示すフローチャートである。単に説明的な目的だけのために、方法１３００は、図１０に関して述べられて、ＡＰとしての第１の通信装置およびＳＴＡとしての第２の通信装置の関連で記載されている。しかしながら、第１の通信装置は、ＡＰ以外の、ピアツーピアネットワークのノードなどの適切な通信装置でもよく、一方で第２の通信装置は、ＳＴＡ以外の、ピアツーピアネットワークのノードなどの適切な通信装置でもよい。
【０１５１】
ステップ１３０２で、ＡＰは、サウンディングアナウンスメントフレームを複数のＳＴＡに送信した後に、明示的なＤＬサウンディングの一部としてサウンディングフレームをそれらに送信する。図１０の例において、ＡＰ１０２は、サウンディングアナウンスメントフレーム１００２をＳＴＡ１０４−１、１０４−２および１０４−３に送信し、続けてサウンディングフレーム１００４を送信する。
【０１５２】
ステップ１３０４で、ＡＰは、明示的なＵＬサウンディングのためのそれぞれのサウンディングフレームとしても機能するＳＴＡから、明示的なＤＬサウンディングのためのそれぞれのフィードバックフレームを受信する。図１０の例において、ＡＰ１０２は、ＳＴＡ１０４−１、１０４−２および１０４−３から、それぞれのフィードバックフレーム１００６を受信する。フィードバックフレームのデータから、ＡＰは、バンド幅全体および／または複数のＳＴＡの各ＳＴＡのための１つまたは複数の好適なサブバンドのそれぞれに対応するＤＬチャネル状態情報および１つまたは複数のＤＬ品質インジケータを取得する。
【０１５３】
ステップ１３０６で、明示的なＵＬサウンディングの一部として、ＡＰは、トレーニング信号およびＳＴＡから受信されるフィードバックフレームに含まれる付加的なトレーニング信号に基づいて、バンド幅全体および／または複数のＳＴＡの各ＳＴＡのための１つまたは複数のサブバンドのそれぞれに対応するＵＬチャネル状態情報および１つまたは複数のＵＬ品質インジケータを取得する。
【０１５４】
ステップ１３０８で、ＡＰは、複数のＳＴＡのＳＴＡごとに取得されるＵＬ品質インジケータに基づいて、ＳＴＡのための１つまたは複数の候補サブバンドを識別する。
【０１５５】
ステップ１３１０で、ＡＰは、複数のＳＴＡのために取得されるＵＬチャネル状態情報およびＵＬ品質インジケータに基づいて、バンド幅全体および／または複数のＳＴＡの各ＳＴＡのための１つまたは複数の候補サブバンドのそれぞれのための送信ビームフォーミングマトリクスを展開する。ステップ１３１０は、複数のＳＴＡのために取得されるＵＬ品質インジケータに基づいて、バンド幅全体および／または複数のＳＴＡの各ＳＴＡのための１つまたは複数の候補サブバンドのそれぞれのための送信方式の意図された使用を識別することと、複数のＳＴＡのために取得されるＵＬチャネル状態情報およびＵＬ品質インジケータに基づいて、バンド幅全体および／または複数のＳＴＡの各ＳＴＡのための送信方式のそれぞれの意図された使用により決まる１つまたは複数の候補サブバンドのそれぞれための、送信ビームフォーミングマトリクスを展開することを含む。また、ステップ１３１０は、複数のＳＴＡの各ＳＴＡのための必要電力調節量を算出することを含むことができる。
【０１５６】
方法１３００によれば、候補サブバンドまたはバンド幅全体がＵＬ  ＳＵ−ＭＩＭＯ送信のためだけに使われる予定である場合、ＳＵ−ＭＩＭＯ送信に特有の送信ビームフォーミングマトリクスは、候補サブバンドまたはバンド幅全体に対して展開される。候補サブバンドまたはバンド幅全体がＵＬ  ＭＵ−ＭＩＭＯ送信のためだけに使われる予定である場合、ＭＵ−ＭＩＭＯ送信に特有の送信ビームフォーミングマトリクスは、候補サブバンドまたはバンド幅全体に対して展開される。候補サブバンドまたはバンド幅全体がＵＬ  ＳＵ−ＭＩＭＯまたはＭＵ−ＭＩＭＯ通信のために使われる予定である場合、ＳＵ−ＭＩＭＯ送信に特有の送信ビームフォーミングマトリクスおよびＭＵ−ＭＩＭＯ送信に特有の送信ビームフォーミングマトリクスの両方が、候補サブバンドまたはバンド幅全体に対して展開される。
【０１５７】
ステップ１３１２で、ＡＰは、複数のＳＴＡの少なくともいくつかのために取得されるＵＬ品質インジケータに基づいて、ＵＬ  ＭＵ送信のためのＵＬグループに包含するためのＳＴＡのグループを選択する。また、ＡＰは、複数のＳＴＡの少なくともいくつかのために取得されるＤＬ品質インジケータに基づいて、ＤＬ  ＭＵ送信のためのＤＬグループに包含するためのＳＴＡのグループを選択する。ＤＬまたはＵＬグループは、複数のＳＴＡの２つ以上のＳＴＡを含む。ＡＰは、それぞれのフィードバック情報を複数のＳＴＡに、それぞれのＤＬデータをＤＬグループのＳＴＡに、かつそれぞれのトリガ情報をＵＬグループのＳＴＡに送信する。図１０の例において、ＡＰ１０２は、ＤＬグループに包含するためのＳＴＡ１０４−１およびＳＴＡ１０４−３を選択し、ＵＬグループに包含するためのＳＴＡ１０４−１およびＳＴＡ１０４−２を選択する。フィードバック情報は、図５に関して上で記載されている。ＵＬグループのＳＴＡのためのトリガ情報は、ＳＴＡに特定の時間にＵＬグループの他のＳＴＡを有するＡＰに同時に送信させる。また、ＵＬグループのＳＴＡのためのトリガ情報は、指定された送信方式および／または割当送信資源に関する情報を含む。
【０１５８】
方法１３００によれば、一実施例において、各ＳＴＡのためのフィードバック情報は、ＳＴＡ宛てに送られるフィードバックフレームに含まれ、ＵＬグループの各ＳＴＡのためのトリガ情報はＳＴＡ宛てに送られるトリガフレームに含まれる。ＤＬおよびＵＬグループの各ＳＴＡ宛てに送られるフィードバックフレーム、ＤＬデータおよびトリガフレームの集合と、ＵＬグループではなくＤＬグループの各ＳＴＡ宛てに送られるフィードバックフレームおよびＤＬデータと、ＵＬまたはＤＬグループではない各ＳＴＡ宛てに送られるフィードバックフレームとは、ＤＬ  ＭＵ  ＰＰＤＵを介して複数のＳＴＡに同時に送信される。図１０の例において、ＡＰ１０２は、フィードバックフレーム１０１０−１、ＤＬデータ１０１２−１およびトリガフレーム１０１４−１の集合をＳＴＡ１０４−１に、フィードバックフレーム１０１０−２およびトリガフレーム１０１４−２の集合をＳＴＡ１０４−２に、かつフィードバックフレーム１０１０−３およびＤＬデータ１０１２−３の集合をＳＴＡ１０４−３に、同時に送信する。
【０１５９】
ステップ１３１４で、ＡＰは、ステップ１３１２で送信されるトリガ情報に応答して、ＵＬグループのＳＴＡから、同時送信を受信する。ステップ１３１４で受信される同時送信は、ステップ１３１４でＵＬグループのＳＴＡにＡＰによって送信されるフィードバック情報中に含まれるデータから直接生成される、送信ビームフォーミングマトリクスを用いてＵＬグループのＳＴＡによって送信されたものである。
【０１６０】
図１４は、本開示による、ＵＬ  ＭＵ送信のための第１の通信装置とのサウンディングを実行するために複数の第２の通信装置の１つによって行う、第２の例示方法１４００を示すフローチャートである。単に説明的な目的だけのために、方法１４００は、図１０に関して述べられて、ＡＰとしての第１の通信装置およびＳＴＡとしての第２の通信装置の関連で記載されている。しかしながら、第１の通信装置は、ＡＰ以外の、ピアツーピアネットワークのノードなどの適切な通信装置でもよく、一方で第２の通信装置は、ＳＴＡ以外の、ピアツーピアネットワークのノードなどの適切な通信装置でもよい。
【０１６１】
ステップ１４０２で、ＳＴＡは、サウンディング手順を開始するＡＰからサウンディングアナウンスメントフレームを受信した後に、明示的なＤＬサウンディングのためにＡＰからサウンディングフレームを受信する。図１０の例において、ＳＴＡ１０４−１は、サウンディングアナウンスメントフレーム１００２を受信した後に、ＡＰ１０２からサウンディングフレーム１００４を受信する。
【０１６２】
ステップ１４０４で、ＳＴＡは、明示的なＵＬサウンディングのためのサウンディングフレームとしても機能するサウンディングフレームをステップ１４０２で受信することに応答して、明示的なＤＬサウンディングのためのフィードバックフレームをＡＰに送信する。例えば、図１０の例で、ＳＴＡ１０４−１は、明示的なＤＬサウンディングおよび明示的なＵＬサウンディングの両方のために用いられるフィードバックフレーム１００６−１をＡＰ１０２に送信する。
【０１６３】
ステップ１４０６で、ＳＴＡは、ＡＰから明示的なＵＬサウンディングおよびトリガ情報のためのフィードバック情報を受信する。フィードバック情報は、図５に関して上で記載されている。ＳＴＡのためのトリガ情報は、ＳＴＡに特定の時間に１つまたは複数の他のＳＴＡと同時にＡＰに送信させる。また、ＳＴＡのためのトリガ情報は、指定された送信方式および／または割当送信資源に関する情報を含む。
【０１６４】
方法１４００によれば、一実施例において、ＳＴＡのためのフィードバック情報は、ＳＴＡ宛てに送られるフィードバックフレームに含まれ、ＳＴＡのためのトリガ情報は、ＳＴＡ宛てに送られるトリガフレームに含まれる。フィードバックフレーム、トリガフレームおよび／またはＤＬデータの集合は、ＳＴＡによって受信される。図１０の例において、ＳＴＡ１０４−１は、フィードバックフレーム１０１０−１、ＤＬデータ１０１２−１およびトリガフレーム１０１４−１の集合を受信する。
【０１６５】
ステップ１４０８で、ＳＴＡは、受信フィードバック情報およびトリガ情報に基づいて、ＵＬ  ＭＵ送信のための送信ビームフォーミングマトリクスを生成する。ステップ１４０８は、受信トリガ情報に基づいて、指定された送信方式および割当送信資源を識別することと、指定された送信方式および割当送信資源に基づいて、ＵＬ  ＭＵ送信のための送信ビームフォーミングマトリクスを受信フィードバック情報の対応するデータから直接生成することとを含む。
【０１６６】
方法１４００によれば、受信トリガ情報がバンド幅全体上のＵＬ  ＭＵ−ＭＩＭＯ送信を示す場合、バンド幅全体上のＵＬ  ＭＵ−ＭＩＭＯ送信に特有の送信ビームフォーミングマトリクスは、受信フィードバック情報の対応するデータから直接生成される。受信トリガ情報が割当サブバンド上のＵＬ  ＭＵ−ＭＩＭＯ送信を示す場合、割当サブバンド上のＵＬ  ＭＵ−ＭＩＭＯ送信に特有の送信ビームフォーミングマトリクスは、受信フィードバック情報の対応するデータから直接生成される。受信トリガ情報が割当サブバンド上のＵＬ  ＳＵ−ＭＩＭＯ送信を示す場合、割当サブバンド上のＵＬ  ＳＵ−ＭＩＭＯ送信に特有の送信ビームフォーミングマトリクスは、受信フィードバック情報の対応するデータから直接生成される。
【０１６７】
ステップ１４１０で、ＳＴＡは、トリガ情報に応答して、割当送信資源のＵＬデータをステップ１４０８で生成される送信ビームフォーミングマトリクスを用いてＡＰに従って１つまたは複数の他のＳＴＡと同時に送信する。
【０１６８】
＜アクセスポイントの構成＞
図１５は、本開示によるＡＰ１０２の例示構成を示すブロック図である。ＡＰ１０２は、ネットワークインタフェース１５０４に連結するホストプロセッサ１５０２を含む。ネットワークインタフェース１５０４は、ＭＡＣ（メディアアクセス制御）プロセッサ１５０６およびＰＨＹプロセッサ１５０８を含む。ＰＨＹプロセッサ１５０８は、複数のアンテナ１５１０に連結する。ネットワークインタフェース１５０４（例えば、ＭＡＣプロセッサ１５０６および／またはＰＨＹプロセッサ１５０８）は、ＳＴＡ１０４とのサウンディング手順を実行して、上述した実施例に従ってデータをＳＴＡ１０４に通信するように、構成される。
【０１６９】
＜ＳＴＡの構成＞
図１６は、本開示によるＳＴＡ１０４の例示構成を示すブロック図である。ＳＴＡ１０４は、ネットワークインタフェース１６０４に連結するホストプロセッサ１６０２を含む。ネットワークインタフェース１６０４は、ＭＡＣプロセッサ１６０６およびＰＨＹプロセッサ１６０８を含む。ＰＨＹプロセッサ１６０８は、１つまたは複数のアンテナ１６１０に連結する。ネットワークインタフェース１６０４（例えば、ＭＡＣプロセッサ１６０６および／またはＰＨＹプロセッサ１６０８）は、ＡＰ１０２とのサウンディング手順を実行して、上述した実施例に従ってデータをＡＰ１０２に通信するように、構成される。
【産業上の利用可能性】
【０１７０】
本開示は、無線通信システムのＵＬ  ＭＵ送信のためのサウンディングを実行する方法に適用することができる。
【符号の説明】
【０１７１】
１５０２  ホストプロセッサ
１５０４  ネットワークインタフェース
１５０６  ＭＡＣプロセッサ
１５０８  ＰＨＹプロセッサ
１５１０  アンテナ
１６０２  ホストプロセッサ
１６０４  ネットワークインタフェース
１６０６  ＭＡＣプロセッサ
１６０８  ＰＨＹプロセッサ
１６１０  アンテナ
【図１】
2018525900.tif 000003
【図２】
2018525900.tif 000004
【図３】
2018525900.tif 000005
【図４】
2018525900.tif 000006
【図５】
2018525900.tif 000007
【図６】
2018525900.tif 000008
【図７】
2018525900.tif 000009
【図８】
2018525900.tif 000010
【図９】
2018525900.tif 000011
【図１０】
2018525900.tif 000012
【図１１】
2018525900.tif 000013
【図１２】
2018525900.tif 000014
【図１３】
2018525900.tif 000015
【図１４】
2018525900.tif 000016
【図１５】
2018525900.tif 000017
【図１６】
2018525900.tif 000018
【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
トレーニング信号を含むサウンディングフレームを送信し、
第１のビームフォーミングフィードバック情報を含む第１のフィードバックフレームを通信相手装置から受信し、
前記第１のフィードバックフレームは、少なくとも一つの第２のフィードバックフレームと共に、マルチユーザ送信によって送信されたものである、
通信方法。
【請求項２】
前記少なくとも一つの第２のフィードバックフレームのうちの一つは、第２のビームフォーミングフィードバック情報を含み、
前記マルチユーザ送信は複数の通信リンク上で実行され、
前記第１のビームフォーミングフィードバック情報は、前記複数の通信リンクのうち、一つの通信リンクに関する情報を含み、
前記第２のビームフォーミングフィードバック情報は、前記複数の通信リンクのうち、前記一つの通信リンクとは異なる別の通信リンクに関する情報を含む、
請求項１に記載の通信方法。
【請求項３】
前記マルチユーザ送信によって送信される、前記第１のフィードバックフレーム、及び、前記少なくとも一つの第２のフィードバックフレームは、第１のパワーコントロール情報を含む、
請求項１に記載の通信方法。
【請求項４】
前記第１のフィードバックフレームを受信する前に、第２のパワーコントロール情報を含むフレームを送信する、
請求項１に記載の通信方法。
【請求項５】
前記第１のビームフォーミングフィードバック情報は、OFDM (Orthogonal Frequency Division Multiplexing)通信リンクの全帯域幅または１以上のサブバンドに対応し、
前記第１のフィードバックフレームはサブバンド指標情報を含む、
請求項１に記載の通信方法。
【請求項６】
前記第１のビームフォーミングフィードバック情報は、１以上のビームフォーミングマトリックスを含む、
請求項１に記載の通信方法。
【請求項７】
前記第１のフィードバックフレームは、SNR (Signal to Noise Ratio)を表す品質指標を１以上含む、
請求項１に記載の通信方法。
【請求項８】
前記第１のビームフォーミングフィードバック情報は、圧縮されたビームフォーミングフィードバック情報を含む、
請求項１に記載の通信方法。
【請求項９】
前記第１のビームフォーミングフィードバック情報は、前記トレーニング信号に基いて決定される、
請求項１に記載の通信方法。
【請求項１０】
トレーニング信号を含むサウンディングフレームを送信する送信部と、
第１のビームフォーミングフィードバック情報を含む第１フィードバックフレームを通信相手装置から受信する受信部と、
を具備し、
前記第１のフィードバックフレームは、少なくとも一つの第２のフィードバックフレームと共に、マルチユーザ送信によって送信されたものである、
通信装置。
【請求項１１】
前記少なくとも一つの第２のフィードバックフレームのうちの一つは、第２のビームフォーミングフィードバック情報を含み、
前記マルチユーザ送信は複数の通信リンク上で実行され、
前記第１のビームフォーミングフィードバック情報は、前記複数の通信リンクのうち、一つの通信リンクに関する情報を含み、
前記第２のビームフォーミングフィードバック情報は、前記複数の通信リンクのうち、前記一つの通信リンクとは異なる別の通信リンクに関する情報を含む、
請求項１０に記載の通信装置。
【請求項１２】
前記マルチユーザ送信によって送信される、前記第１のフィードバックフレーム、及び、前記少なくとも一つの第２のフィードバックフレームは、第１のパワーコントロール情報を含む、
請求項１０に記載の通信装置。
【請求項１３】
前記送信部は、前記第１のフィードバックフレームを受信する前に、第２のパワーコントロール情報を含むフレームを送信する、
請求項１０に記載の通信装置。
【請求項１４】
前記第１のビームフォーミングフィードバック情報は、ＯＦＤＭ（Orthogonal Frequency Division Multiple Access）通信リンクの全帯域幅または１以上のサブバンドに対応し、
前記第１のフィードバックフレームはサブバンド指標情報を含む、
請求項１０に記載の通信装置。
【請求項１５】
前記第１のビームフォーミングフィードバック情報は、１以上のビームフォーミングマトリックスを含む、
請求項１０に記載の通信装置。
【請求項１６】
前記第１のフィードバックフレームは、SNR (Signal to Noise Ratio)を表す品質指標を１以上含む、
請求項１０に記載の通信装置。
【請求項１７】
前記第１のビームフォーミングフィードバック情報は、圧縮されたビームフォーミングフィードバック情報を含む、
請求項１０に記載の通信装置。
【請求項１８】
前記第１のビームフォーミングフィードバック情報は、前記トレーニング信号に基いて決定される、
請求項１０に記載の通信装置。
【手続補正３】
【補正対象書類名】明細書
【補正対象項目名】０００１
【補正方法】変更
【補正の内容】
【０００１】
本開示は、ＯＦＤＭＡ（直交周波数分割多重アクセス）およびＭＵ−ＭＩＭＯ（マルチユーザ多重入力多重出力）に基づく無線ローカルエリアネットワークにおける通信方法および通信装置に関する。
【手続補正４】
【補正対象書類名】明細書
【補正対象項目名】０００６
【補正方法】変更
【補正の内容】
【０００６】
本開示の方法は、トレーニング信号を含むサウンディングフレームを送信し、第１のビームフォーミングフィードバック情報を含む第１のフィードバックフレームを通信相手装置から受信し、前記第１のフィードバックフレームは、少なくとも一つの第２のフィードバックフレームと共に、マルチユーザ送信によって送信されたものである。
【国際調査報告】
2018525900.tif 000019